(57)【特許請求の範囲】
【請求項１】
有色画像を描画領域毎に示す第１有色版画像データ、及び記録媒体に付与する光沢効果の種類及び該光沢効果を与える光沢領域を描画領域毎に示す第１光沢制御版画像データを含む原稿データに基づいて、前記第１有色版画像データにおける、前記第１光沢制御版画像データによって特定される該光沢領域に対応する領域の彩度を、該光沢領域の前記光沢効果の種類に応じて加算して補正し、前記第１有色版画像データにおける、該光沢領域に対応する領域以外は彩度を加算せず、第１補正画像データを生成する第１補正手段と、
前記第１補正画像データを、前記原稿データの印刷結果を推定したプレビュー画像として表示部に表示する表示制御手段と、
を備えた表示処理装置。
【請求項２】
前記原稿データに基づいて、画素毎に有色画像の濃度値を規定した第２有色版画像データ、及び前記光沢効果の種類に応じた濃度値を画素毎に規定した第２光沢制御版画像データを生成する生成手段を更に備え、
前記第１補正手段は、
前記第２有色版画像データにおける、前記第２光沢制御版画像データによって前記光沢領域として特定される画素位置の画素の彩度を、該光沢領域の前記光沢効果の種類に応じて加算して補正し、前記第１補正画像データを生成する、
請求項１に記載の表示処理装置。
【請求項３】
前記原稿データは、透明現像剤を用いて印刷する透明画像を描画領域毎に示す第１クリア版画像データを更に含み、
前記生成手段は、前記第１クリア版画像データに基づいて、画素毎に透明画像の濃度値を規定した第２クリア版画像データを更に生成し、
前記第１補正手段は、前記第２有色版画像データにおける、前記第２クリア版画像データによって前記透明画像の描画領域として特定される画素位置の画素の彩度を、該透明画像の濃度値に応じて更に補正し、前記第１補正画像データを生成する、請求項２に記載の表示処理装置。
【請求項４】
強調表示する光沢効果の種類を指定した強調情報を含む表示情報の入力を受け付ける受付部と、
前記第１補正画像データにおける、前記強調表示の指定された前記光沢効果の種類に対応する光沢領域以外の領域の画素の彩度を、前記強調表示の指定された前記光沢効果の種類に応じて減算して補正し、第２補正画像データを生成する第２補正手段と、
を更に備え、
前記表示制御手段は、前記第１補正画像データまたは前記第２補正画像データを、前記プレビュー画像として前記表示部に表示する、請求項１〜請求項３の何れか１項に記載の表示処理装置。
【請求項５】
前記光沢効果の種類に対応する彩度補正値を予め記憶した記憶手段を更に備え、
前記第１補正手段は、前記第２有色版画像データにおける、前記第２光沢制御版画像データによって前記光沢領域として特定される画素位置の画素の彩度を、該光沢領域の前記光沢効果の種類に対応する前記彩度補正値に応じて補正し、前記第１補正画像データを生成する、請求項２に記載の表示処理装置。
【請求項６】
前記透明画像の濃度値に対応する彩度補正値を記憶した記憶手段を更に備え、
前記第１補正手段は、前記第２有色版画像データにおける、前記第２クリア版画像データによって前記透明画像の描画領域として特定される画素位置の画素の彩度を、該透明画像の濃度値に対応する該彩度補正値に応じて更に補正し、前記第１補正画像データを生成する、請求項３に記載の表示処理装置。
【請求項７】
前記強調表示の指定された光沢効果の種類以外の光沢効果の種類に対応する彩度補正値を記憶した記憶手段を備え、
前記第２補正手段は、前記第１補正画像データにおける、前記強調表示の指定された前記光沢効果の種類に対応する光沢領域以外の領域の画素の彩度を、該光沢領域以外の領域の光沢効果の種類に対応する該彩度補正値に応じて補正し、前記第２補正画像データを生成する、
請求項４に記載の表示処理装置。
【請求項８】
前記記憶手段に記憶された前記彩度補正値は、操作手段による操作指示によって変更される、請求項５〜請求項７の何れか１項に記載の表示処理装置。
【請求項９】
前記原稿データに含まれる描画領域の一欄を示すオブジェクト構造リストを作成することによって、該原稿データの構造を解析する構造解析手段と、
前記オブジェクト構造リストによって示される前記描画領域を、前記有色画像を示す第１描画領域群、前記光沢領域を示す第２描画領域群、及び前記透明画像を示す第３描画領域群に類する分類手段と、
を有する解析手段を更に備え、
前記生成手段は、前記解析手段による解析結果に基づいて、前記第１描画領域群に属する描画領域を統合した画像データに基づいて前記第２有色版画像データを生成し、前記第２描画領域群に属する描画領域を統合した画像データに基づいて前記第２光沢制御版画像データを生成し、前記第３描画領域群に属する描画領域を統合した画像データに基づいて前記第２クリア版画像データを生成する、
請求項３または請求項６に記載の表示処理装置。
【請求項１０】
原稿データに基づいて記録媒体に画像を形成する印刷手段と、前記印刷手段が実行する印刷の結果を推定したプレビュー画像を示す表示画像を表示部に表示する表示処理装置と、を備えた画像形成システムであって、
前記表示処理装置は、
有色画像を描画領域毎に示す第１有色版画像データ、及び記録媒体に付与する光沢効果の種類及び該光沢効果を与える光沢領域を描画領域毎に示す第１光沢制御版画像データを含む原稿データに基づいて、前記第１有色版画像データにおける、前記第１光沢制御版画像データによって特定される該光沢領域に対応する領域の彩度を、該光沢領域の前記光沢効果の種類に応じて加算して補正し、前記第１有色版画像データにおける、該光沢領域に対応する領域以外は彩度を加算せず、第１補正画像データを生成する第１補正手段と、
前記第１補正画像データを、前記原稿データの印刷結果を推定したプレビュー画像として表示部に表示する表示制御手段と、
を備えた画像形成システム。
【請求項１１】
コンピュータに、
有色画像を描画領域毎に示す第１有色版画像データ、及び記録媒体に付与する光沢効果の種類及び該光沢効果を与える光沢領域を描画領域毎に示す第１光沢制御版画像データを含む原稿データに基づいて、前記第１有色版画像データにおける、前記第１光沢制御版画像データによって特定される該光沢領域に対応する領域の彩度を、該光沢領域の前記光沢効果の種類に応じて加算して補正し、前記第１有色版画像データにおける、該光沢領域に対応する領域以外は彩度を加算せず、第１補正画像データを生成するステップと、
前記第１補正画像データを、前記原稿データの印刷結果を推定したプレビュー画像として表示部に表示するステップと、
を実行させるためのプログラム。
【発明の詳細な説明】
【技術分野】
【０００１】
本発明は、表示処理装置、画像形成システム、及びプログラムに関する。
【背景技術】
【０００２】
従来、ＣＭＹＫの４色のトナーの他に、透明な現像剤を用いて画像を印刷する画像形成装置が存在する。透明な現像剤を用いることにより、記録媒体の面において視覚的な効果や触覚的な効果（光沢効果という）が実現される。また、透明な現像剤を用いて画像を形成することにより、改竄防止や偽造防止等に用いる透明な画像を形成することができる。このような画像形成装置において、印刷前に、印刷結果を推定した画像を表示する、所謂、プレビュー表示を行う技術が知られている。例えば特許文献１には、透明トナーで印刷される画像部分をプレビュー表示する技術が開示されている。
【発明の概要】
【発明が解決しようとする課題】
【０００３】
しかしながら、特許文献１に開示された技術では、透明トナーで印刷される画像の色を所定の色に着色し、この着色後の着色画像を有色画像に重ね合せてプレビュー表示を行っている。このため、プレビュー表示された表示画像では、有色画像における該着色画像の重なった領域の色や模様等が、該有色画像によって隠れるという問題があった。
【０００４】
本発明は、上記に鑑みてなされたものであって、有色画像を遮蔽することなく、透明現像剤を用いて形成する領域を反映させたプレビュー表示することができる、表示処理装置、画像形成システム、及びプログラムを提供することを主な目的とする。
【課題を解決するための手段】
【０００５】
上述した課題を解決し、目的を達成するために、本発明の表示処理装置は、第１補正手段と、表示制御手段と、を備える。第１補正手段は、有色画像を描画領域毎に示す第１有色版画像データ、及び記録媒体に付与する光沢効果の種類及び該光沢効果を与える光沢領域を描画領域毎に示す第１光沢制御版画像データを含む原稿データに基づいて、前記第１有色版画像データにおける、前記第１光沢制御版画像データによって特定される該光沢領域に対応する領域の彩度を、該光沢領域の前記光沢効果の種類に応じて補正し、前記第１有色版画像データにおける、該光沢領域に対応する領域以外は彩度を加算せず、第１補正画像データを生成する。表示制御手段は、前記第１補正画像データを、前記原稿データの印刷結果を推定したプレビュー画像として表示部に表示する。
【０００６】
また、本発明の画像形成システムは、原稿データに基づいて記録媒体に画像を形成する印刷手段と、前記印刷手段が実行する印刷の結果を推定したプレビュー画像を示す表示画像を表示部に表示する表示処理装置と、を備えた画像形成システムである。前記表示処理装置は、第１補正手段と、表示制御手段と、を備える。第１補正手段は、有色画像を描画領域毎に示す第１有色版画像データ、及び記録媒体に付与する光沢効果の種類及び該光沢効果を与える光沢領域を描画領域毎に示す第１光沢制御版画像データを含む原稿データに基づいて、前記第１有色版画像データにおける、前記第１光沢制御版画像データによって特定される該光沢領域に対応する領域の彩度を、該光沢領域の前記光沢効果の種類に応じて補正し、前記第１有色版画像データにおける、該光沢領域に対応する領域以外は彩度を加算せず、第１補正画像データを生成する。表示制御手段は、前記第１補正画像データを、前記原稿データの印刷結果を推定したプレビュー画像として表示部に表示する。
【０００７】
また、本発明のプログラムは、コンピュータに、有色画像を描画領域毎に示す第１有色版画像データ、及び記録媒体に付与する光沢効果の種類及び該光沢効果を与える光沢領域を描画領域毎に示す第１光沢制御版画像データを含む原稿データに基づいて、前記第１有色版画像データにおける、前記第１光沢制御版画像データによって特定される該光沢領域に対応する領域の彩度を、該光沢領域の前記光沢効果の種類に応じて補正し、前記第１有色版画像データにおける、該光沢領域に対応する領域以外は彩度を加算せず、第１補正画像データを生成するステップと、前記第１補正画像データを、前記原稿データの印刷結果を推定したプレビュー画像として表示部に表示するステップと、を実行させるためのプログラムである。
【発明の効果】
【０００８】
本発明によれば、有色画像を遮蔽することなく、透明現像剤を用いて形成する領域を反映させたプレビュー表示することができる、表示処理装置、画像形成システム、及びプログラムを提供することができる。
【図面の簡単な説明】
【０００９】
【図１】図１は、実施形態の画像形成システムの概略構成例を示すブロック図である。
【図２】図２は、実施形態のホスト装置を示す機能ブロック図である。
【図３】図３は、第１有色版画像データの一例を示す図である。
【図４】図４は、表面効果の種類を例示する図である。
【図５】図５は、第１光沢制御版画像データの一例を示す図である。
【図６】図６は、第１クリア版画像データの一例を示す図である。
【図７】図７は、原稿データ生成部を示す機能ブロック図である。
【図８】図８は、表示される画面例を示す図である。
【図９】図９は、表示される画面例を示す図である。
【図１０】図１０は、濃度値選択テーブルの一例を示す図である。
【図１１】図１１は、原稿データの構成の一例を示す模式図である。
【図１２Ａ】図１２Ａは、第１テーブルの一例を示す図である。
【図１２Ｂ】図１２Ｂは、第２テーブルの一例を示す図である。
【図１３】図１３は、入力画面の一例を示す模式図である。
【図１４】図１４は、透明画像の詳細設定を行うときに表示する入力画面の一例を示す模式図であり、（Ａ）は、表現方法が自動である場合の入力画面の一例を示す図であり、（Ｂ）は、表現方法が手動である場合の入力画面の一例を示す図である。
【図１５】図１５は、実施形態で用いるテーブルの一例を示す図であり、（Ａ）は、第３テーブルを示す図であり、（Ｂ）は、透明画像管理テーブルの一例を示す図である。
【図１６】図１６は、光沢効果の詳細設定を行うときに表示する入力画面の一例を示す模式図であり、（Ａ）は、表現方法が自動である場合の入力画面の一例を示す図であり、（Ｂ）は、表現方法が手動である場合の入力画面の一例を示す図である。
【図１７】図１７は、光沢効果名に対応する、光沢制御版の濃度値の一例を示すテーブルである。
【図１８】図１８は、光沢制御管理テーブルの一例を示す図である。
【図１９】図１９は、光沢強調領域の詳細設定を行うときに表示する入力画面の一例を示す模式図であり、（Ａ）は、表現方法が自動である場合の入力画面の一例を示す図であり、（Ｂ）は、表現方法が手動である場合の入力画面の一例を示す図である。
【図２０】図２０は、光沢強調管理テーブルの一例を示す図である。
【図２１】図２１は、表示処理部における画像表示処理の手順を示すシーケンス図である。
【図２２】図２２は、画像表示処理の手順を示すフローチャートである。
【図２３】図２３は、分類処理を示すフローチャートである。
【図２４】図２４は、第１補正画像生成処理を示すフローチャートである。
【図２５】図２５は、第２補正画像生成処理を示すフローチャートである。
【図２６】図２６は、実施形態のＤＦＥの構成例を示すブロック図である。
【図２７】図２７は、光沢の有無に関する光沢効果の種類を例示する図である。
【図２８】図２８は、印刷装置を示す概略図である。
【図２９】図２９は、画像形成システムの構成を例示する図である。
【図３０】図３０は、サーバ装置の機能的構成を示すブロック図である。
【図３１】図３１は、ホスト装置を示す機能ブロック図である。
【図３２】図３２は、ホスト装置の表示処理部で実行する画像表示処理の手順を示すフローチャートである。
【図３３】図３３は、サーバ装置で実行する画像処理の手順を示すフローチャートである。
【図３４】図３４は、ホスト装置、ＤＦＥ、及びサーバ装置のハードウェア構成例を示すブロック図である。
【発明を実施するための形態】
【００１０】
（実施形態１）
以下、添付図面を参照しながら、本発明に係る表示処理装置、画像形成システム、及びプログラムの実施形態を詳細に説明する。
【００１１】
図１は、本実施形態に係る画像形成システム１００の概略構成例を示すブロック図である。図１に示すように、画像形成システム１００は、ホスト装置１１、プリンタ制御装置（ＤＦＥ：Ｄｉｇｉｔａｌ  Ｆｒｏｎｔ  Ｅｎｄ）（以下、ＤＦＥと称する）３０、インタフェースコントローラ（ＭＩＣ：Ｍｅｃｈａｎｉｓｍ  Ｉ／Ｆ  Ｃｏｎｔｒｏｌｌｅｒ）（以下、ＭＩＣと称する場合がある）４０、及び印刷装置６０を備える。これらの、ホスト装置１１、ＤＦＥ３０、ＭＩＣ４０、及び印刷装置６０は、互いにデータ授受可能に有線または無線の通信回線を介して接続されている。
【００１２】
ホスト装置１１は、例えば、ＰＣ（Ｐｅｒｓｏｎａｌ  Ｃｏｍｐｕｔｅｒ）等で構成され、原稿データ生成部１０、印刷データ生成部２０、及び表示処理部１５等の機能部を含む。なお、本実施の形態では、ホスト装置１１は、原稿データ生成部１０、印刷データ生成部２０、及び表示処理部１５の各機能部を含む構成であるとして説明するが、これらの原稿データ生成部１０、印刷データ生成部２０、及び表示処理部１５の各機能部は、別体として構成（例えば、別のパーソナルコンピュータに搭載）されていてもよく、１つの装置に一体的に設けられた構成に限られない。
【００１３】
また、ホスト装置１１は、インターネット等の通信回線に接続され、通信回線を介してＤＦＥ３０にデータ授受可能に接続された構成であってもよい。
【００１４】
図２には、ホスト装置１１の具体的な構成の一例を示した。
【００１５】
図２に示すように、ホスト装置１１は、入力部９９Ａ、操作部９９Ｂ、出力部９９Ｃ、表示部９９Ｄ、及び制御部１００を備える。
【００１６】
入力部９９Ａは、パーソナルコンピュータ等の外部装置から、後述する第１有色版画像データを受け付ける。操作部９９Ｂは、各種操作指示を行うときにユーザによって操作される入力デバイスである。操作部９９Ｂとしては、例えば、ボタン、リモコン受信部、および、ＩＣカードなどから情報を読取るカードリーダなどが挙げられる。なお、操作部９９Ｂがキーボードを備えるように構成してもよい。
【００１７】
出力部９９Ｃは、ＤＦＥ３０との間で通信を行うためのインタフェース装置である。表示部９９Ｄは、各種情報を表示する表示デバイスであり、公知の表示デバイスを用いる。
【００１８】
制御部１００は、ホスト装置１１全体を制御する手段であり、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含んで構成されるコンピュータである。
【００１９】
本実施の形態では、図２に示すように、ホスト装置１１は、制御部１００の有する機能部として、上記原稿データ生成部１０、印刷データ生成部２０、及び表示処理部１５等を有する。これらの機能部、及び各機能部に含まれる各機能は、制御部１００のＣＰＵがＲＯＭ等に格納された各種プログラムをＲＡＭ上に展開して実行することにより実現される。また、これらの機能のうちの少なくとも一部を個別の回路（ハードウェア）で実現することも可能である。
【００２０】
原稿データ生成部１０は、第１有色版画像データ（詳細後述）を受け付ける。そして、この第１有色版画像データに、光沢効果の与えられる光沢領域及び光沢効果の種類や、透明画像及び透明画像を形成する領域を示す、特色版の情報（後述する、第１光沢制御版画像データ、及び第１クリア版画像データ）を付加した原稿データを生成し、印刷データ生成部２０及び表示処理部１５へ出力する。なお、原稿データ生成部１０では、この第１有色版画像データを作成してもよい。
【００２１】
印刷データ生成部２０は、原稿データに基づいて印刷データ（詳細後述）を生成する。表示処理部１５は、原稿データに基づいて、原稿データの印刷結果を推定したプレビュー画像を生成する（詳細後述）。
【００２２】
原稿データとは、具体的には、第１有色版画像データ、第１光沢制御版画像データ、及び第１クリア版画像データを含む画像データである。
【００２３】
第１有色版画像データ、第１クリア版画像データ、及び第１光沢制御版画像データは、例えば、ＰＤＦ形式（Ｐｏｒｔａｂｌｅ  Ｄｏｃｕｍｅｎｔ  Ｆｏｒｍａｔ）で頁単位で生成される。そして、これらの第１クリア版画像データ、第１光沢制御版画像データ、及び第１有色版画像データを統合して、原稿データが生成される。なお、第１クリア版画像データ、第１光沢制御版画像データ、及び第１有色版画像データのデータ形式は、ＰＤＦに限定されるものではなく、任意の形式を用いることができる。
【００２４】
各第１クリア版画像データ、第１光沢制御版画像データ、及び第１有色版画像データにおいて、これらの画像データによって特定される後述する各描画領域は、例えば、ベクター形式で表現されている。
【００２５】
詳細には、第１有色版画像データは、有色現像剤を用いて印刷する有色画像を描画領域毎に示す画像データである。
【００２６】
具体的には、第１有色版画像データとは、描画領域毎にＲＧＢやＣＭＹＫ等の有色の濃度値を規定した画像データである。図３は、第１有色版画像データの一例を示す説明図である。図３において、「Ａ」、「Ｂ」、「Ｃ」等の描画領域ごとにユーザが指定した色に対応する濃度値が付与される。各描画領域の濃度値は、例えば、０〜１００％の濃度値で示される（「０」〜「２５５」等で表してもよい）。
【００２７】
有色現像剤としては、ＣＭＹＫ等の各色材を含む液体やトナー等が挙げられる。本実施の形態では、例えば、有色現像剤として、ＣＭＹＫの各々の色材を含む有色トナーを用いる場合を説明する。
【００２８】
第１光沢制御版画像データは、光沢効果の種類及び該光沢効果を与える光沢領域を描画領域毎に示す画像データである。光沢効果とは、記録媒体に付与する視覚的または触覚的な効果である。この光沢領域は、透明現像剤を記録媒体に付与することによって実現する。
【００２９】
透明現像剤とは、色材を含まない無色透明な現像剤である。なお、透明及び無色とは、可視光線の透過率が７０％以上であることを示す。本実施の形態では、透明現像剤として、透明なトナー（以下、クリアトナーと称する）を用いる場合を説明する。
【００３０】
なお、クリアトナーとは、色材を含まないトナーであり、透明なトナーである。なお、透明及び無色とは、透過率が７０％以上であることを示す。
【００３１】
光沢効果の種類としては、図４に例示されるように、大別して４種類あり、光沢の度合（光沢度）の高い順に、例えば、超高光沢、高光沢、低光沢、及びつや消し、の４種類である場合を説明するが、更に細かな種類を設定してもよい。
【００３２】
第１光沢制御版画像データでは、第１有色版画像データと同様に、各光沢領域（描画領域）の濃度値は、例えば、０〜１００％の濃度値（「０」〜「２５５」等で表してもよい）で示される。この濃度値に、光沢効果の種類が対応づけられる。図４中において、超高光沢はその光沢度Ｇｓが８０以上、高光沢は一次色あるいは二次色のなすベタ光沢度、低光沢は一次色、かつ網点３０％の光沢度、つや消しは光沢度１０以下を表している。また、光沢度の偏差をΔＧｓで表し、１０以下とした。このような光沢効果の各種類に対して、光沢を与える度合いが高い光沢効果に高い濃度値が対応付けられ、光沢を抑える光沢効果に低い濃度値が対応付けられる。
【００３３】
なお、有色画像のどの領域に光沢効果を与えるのかやその領域にどの種類の光沢効果を与えるのかについては、ユーザにより指定される。ホスト装置１１の原稿データ生成部１０では、ユーザにより指定された各描画領域について、ユーザが指定した光沢効果に対応する濃度値をセットすることにより、第１光沢制御版画像データを生成する。濃度値と光沢効果の種類との対応関係については後述する。
【００３４】
図５は、第１光沢制御版画像データの一例を示す説明図である。図５の第１光沢制御版画像データの例では、ユーザにより、描画領域「ＡＢＣ」に光沢効果「超高光沢」が付与され、描画領域「（長方形の図形）」に光沢効果「高光沢」が付与され、描画領域「（円形の図形）」に光沢効果「低光沢」が付与された例を示している。なお、各光沢効果に設定された濃度値は、後述の濃度値選択テーブルで、光沢効果の種類に対応して定められた濃度値である。
【００３５】
第１クリア版画像データは、クリアトナー（透明現像剤）を用いて印刷する透明画像を描画領域毎に示す画像データである。なお、透明画像とは、光沢効果の与えられる光沢領域以外の領域における、クリアトナーを用いて形成される描画領域を示す。この透明画像としては、たとえば、ウォーターマーク等があげられる。
【００３６】
図６は、第１クリア版画像データの一例を示す説明図である。図６の例では、ユーザにより、透明画像としてのウォーターマーク「Ｓａｌｅ」が指定されている。
【００３７】
このように、第１クリア版画像データ、及び第１光沢制御版画像データは、ホスト装置１１の原稿データ生成部１０において、第１有色版画像データとは別のプレーンで生成される。
【００３８】
図７には、原稿データ生成部１０の機能ブロック図を示した。
【００３９】
原稿データ生成部１０は入力制御部１２４と、画像処理部１２０と、表示制御部１２１と、版データ生成部１２２と、記憶部１２３と、を主に備えている。
【００４０】
入力制御部１２４は、入力部９９Ａ（図２参照）からの各種入力を受け付けて入力を制御する。例えばユーザは、入力部９９Ａを操作することにより、記憶部１２３に記憶された各種画像（例えば写真、文字、図形、これらを合成した画像等）のうち光沢効果を与えるべき画像、すなわち第１有色版画像データ（以下、「対象画像」と呼ぶ場合もある。）を指定する画像指定情報を入力することができる。なお、これに限らず、画像指定情報の入力方法は任意である。
【００４１】
表示制御部１２１は、表示部９９Ｄ（図２参照）に対する各種情報の表示を制御する。本実施の形態では、表示制御部１２１は、入力制御部１２４で画像指定情報を受け付けた場合、その画像指定情報で指定された画像を記憶部１２３から読み出し、その読み出した画像を画面上に表示するように表示部９９Ｄを制御する。
【００４２】
ユーザは、表示部９９Ｄに表示された対象画像を確認しながら、入力部９９Ａを操作することにより、光沢効果を与える光沢領域および当該光沢効果の種類を指定する指定情報を入力することができる。なお、指定情報の入力方法は、これに限られるものではなく、任意である。
【００４３】
より具体的には、表示制御部１２１は、例えば、図８に例示される画面を表示部９９Ｄに表示させる。この図８は、Ａｄｏｂｅ  Ｓｙｓｔｅｍ（Ｒ）社が販売しているＩｌｌｕｓｔｒａｔｏｒにプラグインを組み込んだ場合に表示される画面の例である。図８に示される画面では、処理対象である対象画像データ（第１有色版画像データ）によって表される画像が表示され、ユーザが入力部９９Ａを介してマーカ追加ボタンを押下して、光沢効果を与えたい光沢領域を指定する操作入力を行うことで、光沢効果を与える光沢領域が指定される。ユーザは光沢効果を与える全ての光沢領域に対してこのような操作入力を行うことになる。そして、表示制御部１２１は、例えば、指定された光沢領域（描画領域）毎に、図９に例示される画面を表示部９９Ｄに表示させる。図９に示される画面では、光沢効果を与えるものとして指定された各光沢領域（描画領域）において当該光沢領域の描画領域を示す画像が表され、当該画像（描画領域）に対して与えたい光沢効果の種類を指定する操作入力を入力部９９Ａを介して行うことで、当該領域に対して与える光沢効果の種類が指定される。
【００４４】
図７に戻り、画像処理部１２０は、対象画像に対して、ユーザからの入力部９９Ａ（図２参照）を介した指示に基づいて、各種画像処理を行う。
【００４５】
版データ生成部１２２は、入力制御部１２４で指定情報（光沢効果を与える光沢領域および当該光沢効果の種類）を受け付けた場合、当該指定情報に基づいて、第１光沢制御版画像データを生成する。また、版データ生成部１２２は、入力制御部１２４で、透明画像の指定を受け付けた場合、当該ユーザからの指定に従って、第１クリア版データを生成する。
【００４６】
ここで、記憶部１２３には、光沢効果の種類と、当該光沢効果の種類に対応する濃度値とを記憶する濃度値選択テーブルが格納される。図１０は、濃度値選択テーブルの一例を示す図である。図１０の例では、「超高光沢」に対応する濃度値は「９４％〜９８％」であり、「高光沢」に対応する濃度値は「８４％〜９０％」であり、「低光沢」に対応する濃度値は「１０％〜１６％」であり、「つや消し」に対応する濃度値は「０％〜６％」である。なお、光沢効果の種類は、更に細分化して設定可能としてもよい。
【００４７】
図７に戻り、版データ生成部１２２は、図１０に示す濃度値選択テーブルを参照しながら、ユーザにより所定の光沢効果が指定された描画領域の濃度値を、当該光沢効果の種類に応じた値に設定することで、第１光沢制御版画像データを生成する。版データ生成部１２２で生成された第１光沢制御版画像データは、点の座標と、それを結ぶ線や面の方程式のパラメータ、および、塗り潰しや特殊効果などを示す描画領域の集合として表現されるベクター形式のデータである。
【００４８】
版データ生成部１２２は、上記第１光沢制御版画像データと、対象画像としての第１有色版画像データと、第１クリア版画像データとを統合した原稿データを生成して、印刷データ生成部２０及び表示処理部１５へ渡す。
【００４９】
次に、印刷データ生成部２０について説明する。
【００５０】
印刷データ生成部２０は、受け付けた原稿データに基づいて印刷データを生成する。印刷データは、原稿データと、プリンタに対して指定するジョブコマンドと、を含んで構成される。このジョブコマンドには、例えば、プリンタの設定、集約の設定、両面の設定などが挙げられる。なお、印刷データは、ＰｏｓｔＳｃｒｉｐｔのようなページ記述言語（ＰＤＬ）に変換されてもよいし、ＤＦＥ３０が対応していれば、ＰＤＦ形式のままでもよい。そして、印刷データ生成部２０は、印刷データを、ＤＦＥ３０へ出力する。
【００５１】
次に、図２に戻り、表示処理部１５について説明する。
【００５２】
表示処理部１５は、原稿データ生成部１０から原稿データを受け付け、原稿データの印刷結果を推定したプレビュー画像を生成し、表示部９９Ｄに表示させる。
【００５３】
図２に示すように、表示処理部１５は、原稿データ受付部２００Ａ、解析部２００Ｌ（解析手段）、分類画像データ生成部２００Ｆ（生成手段）、分類画像データ記憶部２００Ｇ、表示画像生成部２００Ｈ（第１補正部、第２補正部）、補正情報生成部２００Ｋ、受付部２００Ｍ（受付手段）、補正情報記憶部２００Ｉ、表示制御部２００Ｊ、を備える。
【００５４】
また、解析部２００Ｌは、構造解析部２００Ｂ（構造解析手段）、オブジェクト構造リスト記憶部２００Ｃ、分類部２００Ｄ（分類手段）、及び分類リスト記憶部２００Ｅを備える。
【００５５】
なお、オブジェクト構造リスト記憶部２００Ｃ、後述する一次メモリ２０１Ｂ、分類リスト記憶部２００Ｅ、分類画像データ記憶部２００Ｇ、及び補正情報記憶部２００Ｉは、ＲＡＭ等の一次メモリであってもよいし、ハードディスクドライブ装置（ＨＤＤ）等の記憶媒体であってもよい。
【００５６】
原稿データ受付部２００Ａは、原稿データ生成部１０から、原稿データを受け付ける。原稿データ受付部２００Ａでは、原稿データを、表示処理部１５内で参照可能な状態とする。具体的には、原稿データ受付部２００Ａは、プレビュー対象として指示された頁の原稿データのファイル拡張子、もしくはファイルヘッダーを参照するなどして、表示処理部１５内で取扱い可能なファイル形式であるか否かを判断する。そして、原稿データ受付部２００Ａは、ファイルロックを解除する等して取扱い可能な状態とする。そして、原稿データ受付部２００Ａは、該原稿データを、原稿データ受付部２００Ａに設けられた一次メモリ２０１Ｂに展開する。
【００５７】
解析部２００Ｌは、原稿データ受付部２００Ａで受け付けた原稿データを解析する。解析部２００Ｌは、具体的には、上述のように、構造解析部２００Ｂ、オブジェクト構造リスト記憶部２００Ｃ、分類部２００Ｄ、及び分類リスト記憶部２００Ｅを備える。
【００５８】
構造解析部２００Ｂは、一次メモリ２０１Ｂに展開された原稿データのデータ構造を解析し、原稿データの各ページに含まれる描画領域（以下、オブジェクトと称する場合がある）を示すオブジェクト構造リストを作成する。
【００５９】
このオブジェクト構造リストとは、原稿データの各ページに含まれる描画領域の一覧を示す情報である。具体的には、構造解析部２００Ｂは、原稿データの各第１有色版画像データ、第１光沢制御版画像データ、及び第１クリア版画像データの各々に含まれる、１または複数の描画領域であるオブジェクトを解析し、オブジェクト毎の描画情報（描画領域の位置、色空間、濃度等）を示す、オブジェクト構造リストを作成する。
【００６０】
図１１には、原稿データの構成の一例を示した。例えば、原稿データ受付部２００Ａが、プレビュー対象の原稿データとして、図１１に示す構成の原稿データを受け付けたとする。
【００６１】
原稿データは、１頁中（同一頁中）に、第１有色版画像データ、第１光沢制御版画像データ、及び第１クリア版画像データによって特定される、１または複数の描画領域（オブジェクト）を示す描画情報を含む。図１１には、原稿データが、例えば、１頁目に、オブジェクト１〜オブジェクト５の５つのオブジェクトを含む場合を一例として示した。
【００６２】
図１１に示す例では、オブジェクト１は、第１有色版画像データによって特定される有色画像の描画領域を示す。オブジェクト２は、第１クリア版画像データによって特定される透明画像の描画領域を示す。オブジェクト３〜オブジェクト５は、第１光沢制御版画像データによって特定される描画領域の各々を示す。
【００６３】
原稿データは、オブジェクト毎に、描画情報として、描画領域の位置や、色空間や、濃度を示す情報を含む。描画領域の位置は、例えば、座標情報、または座標情報の集合によって示される。色空間とは、各描画領域（オブジェクト）が、有色画像、透明画像、及び光沢領域の何れであるかを示す。なお、図１１中また後述する各図中では、透明画像を、Ｒ−ｃｌｅａｒと表記する場合がある。また、光沢領域を、Ｒ−ｅｆｆｅｃｔと表記する場合がある。さらに、有色画像を、ＲＧＢと表記する場合がある。また、各オブジェクトの濃度として、濃度値（０〜１００％）が設定されている場合を説明する。なお、図１１に示す例では、第１有色版画像データによって特定される有色画像の描画領域群を、１つのオブジェクト（描画領域）として扱う場合を示した。
【００６４】
図２に戻り、説明を続ける。構造解析部２００Ｂでは、このような原稿データに含まれ得る１または複数の各描画領域について、第１有色版画像データによって特定される有色画像の描画領域、第１クリア版画像データによって特定される透明画像の描画領域、及び第１光沢制御版画像データによって特定される描画領域の何れであるかを解析する。構造解析部２００Ｂでは、各描画領域の描画情報に示される色空間を読み取ることによって、各描画領域（オブジェクト）が、有色画像、光沢領域、及び透明画像の何れであるかを解析する。換言すれば、構造解析部２００Ｂは、各描画領域（オブジェクト）が、第１有色版画像データ、第１光沢制御版画像データ、及び第１クリア版画像データの何れによって特定された描画領域であるかを解析する。
【００６５】
そして、構造解析部２００Ｂでは、更に、原稿データに含まれる、第１有色版画像データによって特定される有色画像の描画領域、第１クリア版画像データによって特定される透明画像の描画領域、及び第１光沢制御版画像データによって特定される描画領域の一欄を示すオブジェクト構造リストを作成する。
【００６６】
このオブジェクト構造リストは、原稿データの頁内に含まれるオブジェクトをツリー構造で示したものである。
【００６７】
オブジェクト構造リスト記憶部２００Ｃは、構造解析部２００Ｂによる原稿データの解析結果であるオブジェクト構造リストを記憶する。
【００６８】
分類部２００Ｄは、オブジェクト構造リストに示される各オブジェクト（描画領域）を、第１有色版画像データによって特定される有色画像の描画領域群、第１クリア版画像データによって特定される透明画像の描画領域群、及び第１光沢制御版画像データによって特定される描画領域群に分類し、オブジェクト分類リストを生成する。オブジェクト分類リストは、各オブジェクト群から、オブジェクト構造リスト記憶部２００Ｃに格納されている対応するオブジェクトへのポインタのリストとなっており、実際の描画情報は、オブジェクト構造リスト記憶部２００Ｃに格納されている。分類リスト記憶部２００Ｅは、このオブジェクト分類リストを記憶する。
【００６９】
分類画像データ生成部２００Ｆは、原稿データ、詳細には、上記オブジェクト構造リスト及びオブジェクト分類リストに基づいて、表示用のイメージデータとして、第２有色版画像データ、第２クリア版画像データ、及び第２光沢制御版画像データを生成する。
【００７０】
第２有色版画像データは、第１有色版画像データを表示部９９Ｄで表示可能な形式の表示用のイメージデータに変換したものであり、第１有色版画像データを、１画素あたり例えば８ビットで表現されたラスター形式の画像データに変換したものである。
【００７１】
分類画像データ生成部２００Ｆは、オブジェクト分類リストに示される、第１有色版画像データによって特定される有色画像の描画領域群に対応する描画領域の描画情報を、オブジェクト構造リスト記憶部２００Ｃから読み取る。そして、分類画像データ生成部２００Ｆは、読みとった描画領域群の描画情報をラスター形式に変換した描画情報を統合し、該描画領域群を同一頁上のデータ群とみなし、該描画領域群に含まれる各描画領域の位置関係や前後関係といった情報をもとに画像データを生成することによって、第２有色版画像データを生成する。
【００７２】
第２クリア版画像データは、第１クリア版画像データを表示部９９Ｄで表示可能な形式の表示用のイメージデータに変換したものであり、第１クリア版画像データを、１画素あたり例えば８ビットで表現されたラスター形式の画像データに変換したものである。
【００７３】
分類画像データ生成部２００Ｆは、オブジェクト分類リストに示される、第１クリア版画像データによって特定される透明画像の描画領域群に対応する描画領域の描画情報を、オブジェクト構造リスト記憶部２００Ｃから読み取る。そして、読みとった描画領域群の描画情報をラスター形式に変換した描画情報を統合し、該描画領域群を同一頁上のデータ群とみなし、該描画領域群に含まれる各描画領域の位置関係や前後関係といった情報をもとに画像データを生成することによって、第２クリア版画像データを生成する。
【００７４】
第２光沢制御版画像データは、第１光沢制御版画像データを表示部９９Ｄで表示可能な形式の表示用のイメージデータに変換したものであり、第１光沢制御版画像データを、１画素あたり例えば８ビットで表現されたラスター形式の画像データに変換したものである。
【００７５】
分類画像データ生成部２００Ｆは、オブジェクト分類リストに示される、第１光沢制御版画像データによって特定される光沢領域の描画領域群に対応する描画領域の描画情報を、オブジェクト構造リスト記憶部２００Ｃから読み取る。そして、読みとった描画領域群の描画情報をラスター形式に変換した描画情報を統合し、該描画領域群を同一頁上のデータ群とみなし、該描画領域群に含まれる各描画領域の位置関係や前後関係といった情報をもとに画像データを生成することによって、第２光沢制御版画像データを生成する。
【００７６】
分類画像データ記憶部２００Ｇは、分類画像データ生成部２００Ｆで生成された、第２有色版画像データ、第２光沢制御版画像データ、及び第２クリア版画像データを記憶する。
【００７７】
補正情報記憶部２００Ｉは、後述する複数種類の管理テーブルを格納する。本実施の形態では、補正情報記憶部２００Ｉは、光沢制御管理テーブル、透明画像管理テーブル、及び光沢強調管理テーブル、の３種類の管理テーブルを格納する。
【００７８】
光沢制御管理テーブルは、光沢効果の種類と、該光沢効果の種類に対応する濃度値と、第２有色版画像データの各画素の彩度調整値と、を格納したテーブルである。透明画像管理テーブルは、第２クリア版画像データの各画素の濃度値と、第２有色版画像データの各画素の彩度調整値と、を対応づけて格納したテーブルである。光沢強調管理テーブルは、光沢強調対象の光沢効果の種類に対応する光沢領域以外の領域の画素の濃度値（光沢効果の種類）と、後述する第１補正画像データの各画素の彩度調整値と、を対応づけて格納したテーブルである。
【００７９】
なお、これらの管理テーブルは、第２有色版画像データに含まれる各画素の彩度調整に用いる。この彩度調整の詳細は後述する。
【００８０】
補正情報生成部２００Ｋは、彩度調整値を含む補正情報を生成し、補正情報記憶部２００Ｉの管理テーブルに格納する。また、補正情報生成部２００Ｋは、メモリ２０１Ｋを有する。メモリ２０１Ｋは、予め、第１テーブル及び第２テーブルを記憶する。この第１テーブルは、図１２Ａに示すように、第２クリア版画像データによって規定される透明画像の画素の濃度値に対応する、第２有色版画像データの画素の自動彩度調整値を格納したテーブルである。第２テーブルは、図１２Ｂに示すように、第２光沢制御版画像データによって規定される光沢領域の画素における、濃度値及び光沢効果の種類に対応する、自動彩度調整値を格納したテーブルである。自動彩度調整値とは、第２有色版画像データの各画素の彩度の調整値として、予め定めた値である。
【００８１】
受付部２００Ｍは、上記補正情報等を操作部９９Ｂから受け付け、補正情報生成部２００Ｋへ出力する。なお、上記管理テーブルに格納される補正情報は、ユーザによる操作部９９Ｂの操作指示によって入力される。
【００８２】
例えば、ユーザが第２有色版画像データの彩度調整設定を行うときに表示部９９Ｄに表示するための入力画面を示す入力画面情報を、予め補正情報記憶部２００Ｉ等に記憶しておく。そして、操作部９９Ｂのユーザによる操作によって、彩度調整設定開始を示す信号や、表示処理の開始を示す信号が表示処理部１５に入力される。すると、表示制御部２００Ｊは、補正情報記憶部２００Ｉに格納されている入力画面情報の入力画面を表示部９９Ｄに表示する。そして、補正情報生成部２００Ｋは、ユーザによる操作部９９Ｂによる操作指示によって設定された各種情報を受付部２００Ｍから受け付け、上記管理テーブルに格納することによって、補正情報を生成する。
【００８３】
例えば、表示部９９Ｄに、図１３に示す入力画面１０９を表示する。入力画面１０９には、ＰＤＦ選択ボタン１０９Ｇ、透明画像チェックボックス１０９Ａ、表示の詳細ボタン１０９Ｂ、光沢領域の表示チェックボックス１０９Ｃ、表示の詳細ボタン１０９Ｄ、特定光沢強調表示チェックボックス１０９Ｅ、表示の詳細ボタン１０９Ｆ、及びプレビュー画面１１０が含まれる。
【００８４】
ＰＤＦ選択ボタン１０９Ｇは、プレビュー表示対象の原稿データを指定するためのボタン表示である。
【００８５】
透明画像チェックボックス１０９Ａは、第２クリア版画像データの各画素の濃度値に応じて、第２有色版画像データの各画素の彩度調整を行うか否かを設定するためのボックス表示である。表示の詳細ボタン１０９Ｂは、透明画像チェックボックス１０９Ａのチェックボックスが設定されて該彩度調整を行うときに、該彩度調整の設定を行うための入力画面の表示を指示するためのボタン表示である。
【００８６】
光沢領域の表示チェックボックス１０９Ｃは、第２光沢制御版画像データの各画素の濃度値に応じて、第２有色版画像データの各画素の彩度調整を行うか否かを設定するためのボックス表示である。表示の詳細ボタン１０９Ｄは、光沢領域の表示チェックボックス１０９Ｃのチェックボックスが設定されて該彩度調整を行うときに、該彩度調整の設定を行うための入力画面の表示を指示するためのボタン表示である。
【００８７】
特定光沢強調表示チェックボックス１０９Ｅは、複数種類の光沢効果の何れについて光沢強調を行うか否かを設定するためのボックス表示である。表示の詳細ボタン１０９Ｆは、特定光沢強調表示チェックボックス１０９Ｅのチェックボックスが設定されたときに、該光沢強調の設定を行うための入力画面の表示を指示するためのボタン表示である。
【００８８】
具体的には、入力画面１０９において、ユーザによる操作部９９Ｂの操作指示によってＰＤＦ選択ボタン１０９Ｇが指示されたとする。すると、表示制御部２００Ｊは、図示を省略するファイル選択画面を表示部９９Ｄに表示し、原稿データ受付部２００Ａで受け付けた原稿データの一覧を表示する。そして、ユーザによる操作部９９Ｂの操作指示によって１の原稿データが選択されると、後述する解析部２００Ｌによる解析処理等が行われて、分類画像データ記憶部２００Ｇに、第２有色版画像データ、第２クリア版画像データ、及び第２光沢制御版画像データが格納される。
【００８９】
そして、表示制御部２００Ｊは、分類画像データ記憶部２００Ｇに格納されている該原稿データに対応する第２有色版画像データを読取り、表示部９９Ｄに表示する。
【００９０】
そして、該入力画面１０９において、ユーザによる操作部９９Ｂの操作指示によって、透明画像チェックボックス１０９Ａにチェックマークが入力されたとする。すると、表示制御部２００Ｊは、分類画像データ記憶部２００Ｇに格納されている第２有色版画像データと、第２クリア版画像データと、を合成した合成画像をプレビュー画面１１０に表示する。
【００９１】
このとき、第２クリア版画像データについては、第２クリア版画像データによって特定される透明画像の色を、予め定めた表示色（例えば水色）に変換した後に、該第２クリア版画像データによって特定される濃度値でプレビュー画面１１０に表示すればよい。なお、この透明画像の表示色は、予め図示を省略するメモリ等に記憶しておいて、該合成画像の表示時に、第２クリア版画像データにおける透明画像の色を該表示色へ色変換すればよい。
【００９２】
そして、更に、ユーザによる操作部９９Ｂの操作指示によって、表示の詳細ボタン１０９Ｄが指示されたとする。
【００９３】
すると、表示制御部２００Ｊは、第２クリア版画像データの各画素の濃度値に応じた、第２有色版画像データの各画素の彩度調整値を設定するための入力画面１１２を表示部９９Ｄに表示する（図１４（Ａ）参照）。
【００９４】
入力画面１１２は、透明画像の彩度表現方法として、自動または手動を選択するためのボタン１１２Ａと、入力画面１０９に戻ることを指示するためのボタン１１２Ｂを有する。
【００９５】
ユーザによる操作部９９Ｂの操作指示によって、ボタン１１２Ａが指示されて「自動」が設定されると、補正情報生成部２００Ｋは、第１テーブルに格納されている、第２クリア版画像データの各画素位置の画素の濃度値に対応する自動彩度調整値を、第２有色版画像データの対応する画素位置の画素の自動彩度調整値として、透明画像管理テーブルに格納する。
【００９６】
一方、ユーザによる操作部９９Ｂの操作指示によって、ボタン１１２Ａが指示されて「手動」が設定されると、表示制御部２００Ｊは、第２クリア版画像データの各画素の濃度値に応じた、第２有色版画像データの各画素の彩度調整値を、手動で設定するためのスライドバー１１２Ｃを入力画面１１２に加えて表示する（図１４（Ｂ）参照）。
【００９７】
なお、メモリ２０１Ｋには、該スライドバー１１２Ｃ上の位置に対応する調整値を定めた第３テーブルが格納されている。具体的には、図１５（Ａ）に示すように、第３テーブルは、スライドバー上の表現に対応する彩度調整値を予め格納する。なお、スライドバー上の表現と表現の間の位置に対応する彩度調整値は、各表現間における位置に対応する彩度調整値を該第３テーブルから算出することによって得ればよい。
【００９８】
そして、ユーザによる操作部９９Ｂの操作指示によって、スライドバー１１２Ｃ上の指示マーク１１２Ｄの表示位置がスライドされることで、第２有色版画像データの各画素の彩度調整値が手動で調整される。
【００９９】
図１４（Ｂ）に示す例では、指示マーク１１２Ｄの位置は、スライドバー１１２Ｃの低光沢を示している。この場合、補正情報生成部２００Ｋは、第３テーブルに格納されている低光沢に対応する彩度調整値を、第２クリア版画像データの各画素位置の画素の濃度値に対する手動彩度調整値として、透明画像管理テーブルに格納する。
【０１００】
これによって、補正情報生成部２００Ｋは、透明画像用の彩度調整値を含む補正情報を格納した、透明画像管理テーブルを作成する。
【０１０１】
図１５（Ｂ）には、透明画像管理テーブルの一例を示した。図１５（Ｂ）に示すように、透明画像管理テーブルは、第２クリア版画像データの各画素位置の画素の濃度値（透明画像を構成する各画素の濃度値）に対応する、自動彩度調整値、または手動彩度調整値を格納したテーブルである。補正情報生成部２００Ｋは、このような透明画像管理テーブルを作成し、補正情報記憶部２００Ｉに格納する。
【０１０２】
図１３に戻り、一方、入力画面１０９において、ユーザによる操作部９９Ｂの操作指示によって、光沢領域の表示チェックボックス１０９Ｃにチェックマークが入力されたとする。すると、表示制御部２００Ｊは、分類画像データ記憶部２００Ｇに格納されている、第２有色版画像データと第２光沢制御版画像データとを合成した合成画像をプレビュー画面１１０に表示する。
【０１０３】
このとき、第２光沢制御版画像データについては、第２光沢制御版画像データによって特定される光沢領域の色を、光沢領域の種類に対応する表示色とし、該第２光沢制御版画像データによって特定される濃度値でプレビュー画面１１０に表示すればよい。なお、この光沢領域の表示色は、予め図示を省略するメモリ等に、光沢効果の種類に対応づけて格納しておけばよい。そして、該合成画像の表示時に、第２光沢制御版画像データにおける光沢領域の色を、該光沢領域の種類に対応する表示色に変換した後に、プレビュー画面１１０に表示すればよい。
【０１０４】
そして、更に、ユーザによる操作部９９Ｂの操作指示によって、表示の詳細ボタン１０９Ｄが指示されたとする。
【０１０５】
すると、表示制御部２００Ｊは、第２光沢制御版画像データの各画素位置の画素の濃度値（すなわち光沢効果の種類）に対応する、第２有色版画像データの対応する画素位置の各画素の彩度調整値を設定するための入力画面１１４を表示部９９Ｄに表示する（図１６（Ａ）参照）。
【０１０６】
入力画面１１４は、光沢効果の種類毎に、該種類の光沢効果の与えられる光沢領域に相当する、第２有色版画像データの対応する画素位置の各画素の彩度調整値を設定するための入力画面である。入力画面１１４は、設定対象の光沢効果の種類を選択するためのボタン１１４Ｂと、光沢効果の種類の彩度表現方法として、自動または手動を選択するためのボタン１１４Ｃと、入力画面１０９に戻ることを指示するためのボタン１１４Ｄを有する。
【０１０７】
なお、メモリ２０１Ｋには、各光沢効果の種類名である光沢効果名に対応する、第２光沢制御版画像データの各画素における濃度値を示す対応テーブル（図１７参照）が予め格納されている。このため、入力画面１１４を介して、光沢効果の種類に対応する、第２有色版画像データの各画素の彩度調整値が設定されることによって、第２光沢制御版画像データの各画素の濃度値に対応する、該彩度調整値が設定される。
【０１０８】
図１６（Ａ）に戻り、ユーザによる操作部９９Ｂの操作指示によって、ボタン１１４Ｂが選択されると、設定対象の光沢効果の種類が選択される。そして、さらに、ユーザによる操作部９９Ｂの操作指示によって、ボタン１１４Ｃが操作指示されて「自動」が設定される。すると、補正情報生成部２００Ｋは、該選択された光沢効果の種類に対応する調整方法として「自動」を、光沢制御管理テーブルに格納する。なお、光沢制御管理テーブルには、第２テーブル（図１２Ｂ参照）に格納されている、第２光沢制御版画像データの光沢効果の種類（または光沢効果の種類に対応する濃度値）に対応する自動彩度調整値が予め格納されている。
【０１０９】
一方、ユーザによる操作部９９Ｂの操作指示によって、ボタン１１４Ｃが指示されて「手動」が設定されると、表示制御部２００Ｊは、第２光沢制御版画像データの各画素位置の画素の濃度値（光沢効果の種類）に応じた、第２有色版画像データの対応する画素位置の画素の彩度調整値を、手動で設定するためのスライドバー１１４Ｅを入力画面１１４に加えて表示する（図１６（Ｂ）参照）。
【０１１０】
なお、スライドバー１１４Ｅ上の表現に対応する彩度調整値は、スライドバー１１２Ｃと同様に、上述した第３テーブル（図１５（Ａ）参照）を用いればよい。
【０１１１】
そして、ユーザによる操作部９９Ｂの操作指示によって、スライドバー１１４Ｅ上の指示マーク１１４Ｆの表示位置がスライドされることで、第２有色版画像データの各画素の彩度調整値が手動で調整される。
【０１１２】
図１６（Ｂ）に示す例では、指示マーク１１４Ｆの位置は、スライドバー１１４Ｅの超高光沢を示している。また、ボタン１１４Ｂの表示位置には、設定対象の光沢効果の種類として「超高光沢」が選択されている。この場合、補正情報生成部２００Ｋは、第３テーブルに格納されている超高光沢に対応する彩度調整値を、第２光沢制御版画像データの超高光沢に対応する濃度値の設定されている画素に対応する、第２有色版画像データの彩度調整値として、光沢制御管理テーブルに格納する。
【０１１３】
これによって、補正情報生成部２００Ｋは、光沢制御版用の彩度調整値を含む補正情報を格納した光沢制御管理テーブルを作成する。例えば、補正情報生成部２００Ｋは、図１８に示す光沢制御管理テーブルを作成する。
【０１１４】
図１８に示すように、光沢制御管理テーブルは、光沢効果の種類と、光沢効果の種類に対応する濃度値と、調整方法と、自動彩度調整値と、手動彩度調整値と、を対応づけて格納する。調整方法とは、上記入力画面１１４のボタン１１４Ｃ（図１６（Ａ）（Ｂ）参照）で設定された手動、または自動を示す情報である。すなわち、図１６（Ａ）に示すように光沢効果の種類として超高光沢が指定され、表現方法として「自動」が選択されたとする。この場合には、補正情報生成部２００Ｋは、光沢制御管理テーブルにおける、超高光沢に対応する調整方法として、「自動」を設定する。
【０１１５】
また、図１６（Ｂ）に示すように、光沢効果の種類として超高光沢が指定され、表現方法として「手動」が選択されたとする。そして、スライドバー１１４Ｅ上の指示マーク１１４Ｆの表示位置が超高光沢の位置に指示されたとする。この場合には、補正情報生成部２００Ｋは、光沢制御版管理テーブルにおける、超高光沢に対応する調整方法として「手動」を設定する。また、補正情報生成部２００Ｋは、該指示マーク１１４Ｆの表示位置に対応する自動彩度調整値を第２テーブル（図１２Ｂ参照）から読み取り、該自動彩度調整値を光沢制御版管理テーブルにおける超高光沢に対応する手動彩度調整値として、格納する。
【０１１６】
図１３に戻り、一方、入力画面１０９において、ユーザによる操作部９９Ｂの操作指示によって、特定光沢強調表示チェックボックス１０９Ｅにチェックマークが入力されたとする。すると、表示制御部２００Ｊは、分類画像データ記憶部２００Ｇに格納されている、第２有色版画像データと第２光沢制御版画像データとを合成した合成画像をプレビュー画面１１０に表示する。
【０１１７】
このとき、第２光沢制御版画像データについては、第２光沢制御版画像データによって特定される光沢領域の色を、光沢領域の種類に対応する表示色に変換し、該第２光沢制御版画像データによって特定される濃度値でプレビュー画面１１０に表示すればよい。なお、この光沢領域の表示色は、予め図示を省略するメモリ等に、光沢効果の種類に対応づけて格納しておけばよい。そして、該合成画像の表示時に、第２光沢制御版画像データにおける光沢領域の色を、該光沢領域の種類に対応する表示色に変換した後に、プレビュー画面１１０に表示すればよい。
【０１１８】
そして、更に、ユーザによる操作部９９Ｂの操作指示によって、表示の詳細ボタン１０９Ｆが指示されたとする。
【０１１９】
すると、表示制御部２００Ｊは、光沢強調対象の光沢効果の種類を設定すると共に、第２有色版画像データにおける、該光沢強調対象外の領域に対応する画素位置の画素の彩度調整値を設定するための入力画面１１６を表示部９９Ｄに表示する（図１９（Ａ）参照）。なお、第１補正画像データとは、詳細は後述するが、上述した光沢制御管理テーブル及び透明画像管理テーブルに基づいた彩度の補正のなされた後の、第２有色版画像データを示す。
【０１２０】
入力画面１１６は、光沢強調対象の光沢効果の種類を選択するためのボタン１１６Ａと、光沢強調対象外の領域の彩度表現方法として、自動または手動を選択するためのボタン１１６Ｃと、入力画面１０９に戻ることを指示するためのボタン１１６Ｂを有する。
【０１２１】
なお、上述したように、メモリ２０１Ｋには、各光沢効果の種類名である光沢効果名に対応する、第２光沢制御版画像データの各画素における濃度値を示す対応テーブル（図１７参照）が予め格納されている。このため、入力画面１１６を介して、第２有色版画像データにおける、第２光沢制御版画像データにおける光沢強調対象外の領域に対応する画素位置の画素の彩度調整値が設定される。
【０１２２】
図１９（Ａ）に戻り、ユーザによる操作部９９Ｂの操作指示によって、ボタン１１６Ａが選択されると、光沢強調対象の光沢効果の種類が選択される。そして、さらに、ユーザによる操作部９９Ｂの操作指示によって、ボタン１１６Ｃが操作指示されて「自動」が設定される。すると、補正情報生成部２００Ｋは、該選択された光沢強調対象の光沢効果の種類に対応する調整方法として「自動」を、光沢強調管理テーブルに格納する。なお、光沢強調管理テーブルには、第２テーブル（図１２Ｂ参照）に格納されている、第２光沢制御版画像データの光沢効果の種類（または光沢効果の種類に対応する濃度値）に対応する自動彩度調整値が予め格納されている。
【０１２３】
一方、ユーザによる操作部９９Ｂの操作指示によって、ボタン１１６Ｃが指示されて「手動」が設定されると、表示制御部２００Ｊは、第２有色版画像データにおける、第２光沢制御版画像データにおける光沢強調対象外の領域に対応する画素位置の画素の彩度調整値を、手動で設定するためのスライドバー１１６Ｄを入力画面１１６に加えて表示する（図１９（Ｂ）参照）。
【０１２４】
なお、スライドバー１１６Ｄ上の表現に対応する彩度調整値は、スライドバー１１２Ｃと同様に、上述した第３テーブル（図１５（Ａ）参照）を用いて求めればよい。
【０１２５】
そして、ユーザによる操作部９９Ｂの操作指示によって、スライドバー１１６Ｄ上の指示マーク１１６Ｆの表示位置がスライドされることで、第２有色版画像データにおける、第２光沢制御版画像データにおける光沢強調対象外の領域に対応する画素位置の画素の彩度調整値が手動で調整される。
【０１２６】
図１９（Ｂ）に示す例では、指示マーク１１６Ｆは、スライドバー１１６Ｄの低光沢を示している。また、ボタン１１６Ａの表示位置には、光沢強調対象の光沢効果の種類として、「高光沢」が選択されている。この場合、補正情報生成部２００Ｋは、第３テーブルに格納されている高光沢に対応する彩度調整値を読み取る。そして、補正情報生成部２００Ｋは、該彩度調整値を、第２有色版画像データにおける、第２光沢制御版画像データにおける光沢強調対象外の領域に対応する画素位置の画素の、手動彩度調整値として、光沢制御管理テーブルに格納する。
【０１２７】
これによって、補正情報生成部２００Ｋは、例えば、図２０に示す光沢強調管理テーブルを作成する。
【０１２８】
図２０に示すように、光沢強調管理テーブルは、光沢効果の種類と、対象設定と、第２光沢制御版画像データの画素の濃度値と、調整方法と、自動彩度調整値と、手動彩度調整値と、を対応づけて格納する。
【０１２９】
該光沢強調管理テーブルにおける光沢効果の種類とは、上記入力画面１１６のボタン１１６Ａによって光沢強調対象として指定された光沢効果の種類を示す。光沢強調管理テーブルにおける対象設定とは、対応する光沢効果の種類が、光沢強調対象であることを示す「対象」、または光沢強調対象外であることを示す「対象外」を表す。すなわち、図１９（Ａ）及び図１９（Ｂ）に示すように、光沢強調対象として高光沢が指定されたとする。そして、その他の光沢効果の種類は該入力画面１１６で設定されなかったとする。この場合には、補正情報生成部２００Ｋは、光沢強調管理テーブルにおける、高光沢に対応する対象設定として「対象」を示す情報を該光沢強調管理テーブルに格納する。また、補正情報生成部２００Ｋは、光沢強調管理テーブルにおける、高光沢以外の光沢効果の種類（この場合、超高光沢、変化無し、低光沢、つや消し）に対応する対象設定として、「対象外」を示す情報を格納する。
【０１３０】
なお、図１７、図１８、及び図１９等において、「変化無し」とは、何も光沢効果を付与しない、すなわちクリアトナーを付与しないことを示す。
【０１３１】
光沢強調管理テーブルにおける調整方法とは、上記入力画面１１６のボタン１１６Ｃ（図１９（Ａ）、図１９（Ｂ）参照）で設定された手動、または自動を示す情報である。すなわち、図１９（Ａ）に示すように光沢強調対象として高光沢が指定され、強調表現として「自動」が選択されたとする。この場合には、図２０に示すように、補正情報生成部２００Ｋは、光沢強調管理テーブルにおける、高光沢に対応する調整方法として、「自動」を設定する。
【０１３２】
一方、図１９（Ｂ）に示すように、光沢強調対象として高光沢が指定され、強調表現として「手動」が選択されたとする。この場合には、補正情報生成部２００Ｋは、光沢強調管理テーブルにおける、高光沢に対応する調整方法として、「手動」を設定する。また、補正情報生成部２００Ｋは、指示マーク１１６Ｆの表示位置に対応する自動彩度調整値を第２テーブル（図１２Ｂ参照）から読み取る。そして、補正情報生成部２００Ｋは、該自動彩度調整値を、光沢強調管理テーブルにおける、光沢強調対象として設定された超高光沢以外の光沢効果の種類に対応する手動彩度調整値として、格納する（図２０参照）。
【０１３３】
以上のようにして、補正情報生成部２００Ｋは、補正情報を生成し、光沢制御管理テーブル、透明画像管理テーブル、及び光沢強調管理テーブルに、各種補正情報を格納し、補正情報記憶部２００Ｉに格納する。
【０１３４】
なお、補正情報とは、第２光沢制御版画像データや第２クリア版画像データにおける各画素の濃度値と、自動彩度調整値と、手動彩度調整値と、を含む。また、第２光沢制御版画像データに対応する補正情報には、更に、調整方法が含まれる。この調整方法とは、上記「手動」または「自動」を示す情報である。なお、第２光沢制御版画像データの各画素の濃度値は、光沢効果の種類も示す。このため、光沢制御管理テーブル、及び光沢強調管理テーブルに格納される補正情報には、光沢効果の種類も含まれる。
【０１３５】
図２に戻り、表示画像生成部２００Ｈについて説明する。
【０１３６】
表示画像生成部２００Ｈは、分類画像データ記憶部２００Ｇに格納されている第２有色版画像データの各画素の彩度を補正し、表示画像（第１補正画像、第２補正画像）を生成する。
【０１３７】
表示画像生成部２００Ｈは、第１補正画像生成部２０２、及び第２補正画像生成部２０４を有する。
【０１３８】
第１補正画像生成部２０２は、光沢制御管理テーブル及び透明画像管理テーブルの各々に格納されている補正情報に基づいて、第２有色版画像データの各画素の彩度を補正し、第１補正画像データを生成する。第１補正画像生成部２０２は、一次メモリ部２０２Ａを備えており、第１補正画像データの生成時に各種データを展開するために用いる。この第１補正画像生成部２０２で実行する第１補正画像生成処理については、詳細を後述する。
【０１３９】
第２補正画像生成部２０４は、光沢強調管理テーブルに格納されている補正情報に基づいて、第１補正画像データの各画素の彩度を補正し、第２補正画像データを生成する。第２補正画像生成部２０４は、一次メモリ部２０４Ａを備えており、第２補正画像データの生成時に各種データを展開するために用いる。この第２補正画像生成部２０４で実行する第２補正画像生成処理については、詳細を後述する。
【０１４０】
表示制御部２００Ｊは、表示画像生成部２００Ｈで生成された第１補正画像データの表示画像、または第２補正画像データの表示画像を、原稿データのプレビュー画像として、表示部９９Ｄに表示する。
【０１４１】
次に、表示処理部１５で実行する表示処理を説明する。
【０１４２】
図２１には、表示処理部１５における画像表示処理の手順を示すシーケンス図を示した。なお、図２１は、図１１に示す原稿データの印刷結果を推定した表示画像を表示部９９Ｄに表示するまでの、画像表示処理の手順を示すシーケンス図である。
【０１４３】
まず、表示処理部１５では、図１３に示す入力画面１０９を表示部９９Ｄに表示する。そして、ユーザによる操作部９９Ｂの操作指示によって、表示対象の原稿データの選択指示を行うためのＰＤＦ選択ボタン１０９Ｇが操作指示される。そして、プレビュー対象の原稿データが選択されると、原稿データ受付部２００Ａが原稿データ記憶部１００Ｂに格納されている該指示された原稿データを読み取り、一次メモリ２０１Ｂに展開する（ＳＥＱ１、ＳＥＱ２）。
【０１４４】
次に、構造解析部２００Ｂは、ユーザによる操作部９９Ｂの操作指示によって表示対象の頁が選択されると（ＳＥＱ４）、該選択結果に対応する頁の原稿データを一次メモリ２０１Ｂから読み取り、解析する（ＳＥＱ３、ＳＥＱ５）。
【０１４５】
そして構造解析部２００Ｂは、解析結果であるオブジェクト構造リストを、オブジェクト構造リスト記憶部２００Ｃに格納する（ＳＥＱ６）。
【０１４６】
分類部２００Ｄは、オブジェクト構造リスト記憶部２００Ｃに格納された、オブジェクト構造リストに示される各オブジェクト１〜オブジェクト５を、第１有色版画像データによって特定される有色画像の描画領域群、第１クリア版画像データによって特定される透明画像の描画領域群、及び第１光沢制御版画像データによって特定される光沢領域の描画領域群、の３つのオブジェクト群に分類し、オブジェクト分類リストを生成する（ＳＥＱ７、ＳＥＱ８）。
【０１４７】
そして、分類画像データ生成部２００Ｆは、オブジェクト分類リストによって示される、有色画像の描画領域群を統合すると共にラスタライズを行い、第２有色版画像データを生成する。また、分類画像データ生成部２００Ｆは、オブジェクト分類リストによって示される、透明画像の描画領域群を統合すると共にラスタライズを行い、第２クリア版画像データを生成する。さらに、分類画像データ生成部２００Ｆは、光沢領域の描画領域群を統合すると共にラスタライズを行い、第２光沢制御版画像データを生成する。これによって、分類画像データ生成部２００Ｆは、第２有色版画像データ、第２光沢制御版画像データ、及び第２クリア版画像データを生成する（ＳＥＱ９、ＳＥＱ１０）。
【０１４８】
第１補正画像生成部２０２は、第２有色版画像データの各画素の彩度を、補正情報記憶部２００Ｉに格納されている光沢制御管理テーブル及び透明画像管理テーブルの補正情報に基づいて補正し、第１補正画像データを生成し、一次メモリ部２０２Ａに格納する（ＳＥＱ１２、ＳＥＱ１１、ＳＥＱ１３）。
【０１４９】
次に、第２補正画像生成部２０４は、第１補正画像データの各画素の彩度を、補正情報記憶部２００Ｉに格納されている光沢強調管理テーブルの補正情報に基づいて補正し、第２補正画像データを生成し、一次メモリ部２０４Ａに格納する（ＳＥＱ１４、ＳＥＱ１５、ＳＥＱ１６）。
【０１５０】
そして、表示制御部２００Ｊは、第２補正画像データが生成されている場合には第２補正画像データを、第２補正画像データが生成されていない場合には第１補正画像データを、表示画像として、表示部９９Ｄに表示する（ＳＥＱ１７、ＳＥＱ１８、ＳＥＱ１９）。
【０１５１】
なお、補正情報生成部２００Ｋは、操作部９９Ｂの操作指示によって補正情報を生成し、上述した光沢制御管理テーブル、透明画像管理テーブル、光沢強調管理テーブルを補正情報記憶部２００Ｉに格納する（ＳＥＱ２０、ＳＥＱ２１）。
【０１５２】
次に、以上のように構成された本実施形態の表示処理部１５で実行する画像表示処理について説明する。
【０１５３】
図２２は、本実施形態の画像表示処理の手順を示すフローチャートである。
【０１５４】
まず、原稿データ受付部２００Ａが、原稿データを受け付ける（ステップＳ４００）。原稿データ受付部２００Ａで受け付けられた原稿データは、一次メモリ２０１Ｂに展開される。
【０１５５】
次いで、構造解析部２００Ｂが、一次メモリ２０１Ｂに展開された原稿データのデータ構造を解析し、原稿データの各ページに含まれるオブジェクトを示すオブジェクト構造リストを作成する（ステップＳ４０２）。そして、構造解析部２００Ｂは、オブジェクト構造リストをオブジェクト構造リスト記憶部２００Ｃに格納する（ステップＳ４０４）。
【０１５６】
次いで、分類部２００Ｄが原稿データの分類処理を実行する（ステップＳ４０６）。この分類処理については、詳細を後述する。
【０１５７】
そして、分類画像データ生成部２００Ｆが、表示用のイメージデータとして、第２有色版画像データ、第２光沢制御版画像データ、及び第２クリア版画像データを生成し、分類画像データ記憶部２００Ｇに格納する（ステップＳ４０８、ステップＳ４１０）。
【０１５８】
次に、第１補正画像生成部２０２が第１補正画像生成処理を実行する（ステップＳ４１２）。なお、このステップＳ４１２の第１補正画像生成処理については、詳細を後述する。
【０１５９】
次に、第２補正画像生成部２０４が第２補正画像生成処理を実行する（ステップＳ４１４）。なお、このステップＳ４１４の第２補正画像生成処理については、詳細を後述する。
【０１６０】
次に、表示制御部２００Ｊが、表示画像生成部２００Ｈで生成された表示画像データ（第１補正画像データ、または第２補正画像データ）の表示画像を、表示部９９Ｄに表示する（ステップＳ４１６）。
【０１６１】
そして、表示画像生成部２００Ｈは、光沢制御管理テーブル、透明画像管理テーブル、及び光沢強調管理テーブルに格納されている補正情報が変更されたか否かを判断する（ステップＳ４１８）。このステップＳ４１８の判断は、次のようにして行う。例えば、表示画像生成部２００Ｈは、補正情報記憶部２００Ｉに格納されている３種類の上記管理テーブル（光沢制御管理テーブル、透明画像管理テーブル、及び光沢強調管理テーブル）を読取る。そして、表示画像生成部２００Ｈでは、これらの管理テーブルに格納されている補正情報が、前回の表示画像データ生成時（ステップＳ４１２、及びステップＳ４１４）の読み取り時の内容と異なるか否かを判別することによって、補正情報が変更されたか否かを判断する。
【０１６２】
そして、表示画像生成部２００Ｈは、補正情報が変更されたと判断すると（ステップＳ４１８：Ｙｅｓ）、上記ステップＳ４１２に戻り、変更された後の３種類の上記管理テーブル（光沢制御管理テーブル、透明画像管理テーブル、及び光沢強調管理テーブル）を用いて、第１補正画像生成処理（ステップＳ４１２）及び第２補正画像生成処理（ステップＳ４１４）を行う。
【０１６３】
一方、補正情報が変更されていないと判断すると（ステップＳ４１８：Ｎｏ）、表示処理部１５は、操作部９９Ｂを介して表示終了指示を示す信号を受け付けたか否かを判断する（ステップＳ４２０）。そして、ステップＳ４２０で否定判断すると（ステップＳ４２０：Ｎｏ）、上記ステップＳ４１６へ戻る。一方、ステップＳ４２０で肯定判断すると（ステップＳ４２０：Ｙｅｓ）、本ルーチンを終了する。
【０１６４】
次に、ステップＳ４０６の分類処理について説明する。
【０１６５】
図２３は、分類処理の手順を示すフローチャートである。
【０１６６】
まず、分類部２００Ｄが、オブジェクト構造リスト記憶部２００Ｃからオブジェクト構造リストを読み出す（ステップＳ５００）。
【０１６７】
そして、分類部２００Ｄは、読み出したオブジェクト構造リストに含まれるオブジェクト数を取得し（ステップＳ５０２）、後述するステップＳ５０４〜ステップＳ５１２またはステップＳ５１４の処理をオブジェクトの数分繰り返し実行する。
【０１６８】
分類部２００Ｄは、まず、オブジェクト構造リスト記憶部２００Ｃに格納されている１のオブジェクトの色空間情報を取得する（ステップＳ５０４）。
【０１６９】
次に、分類部２００Ｄは、ステップＳ５０４で取得した色空間情報が、光沢領域を示す情報であるか否かを判断する（ステップＳ５０６）。そして、ステップＳ５０４で取得した色空間情報が光沢領域を示す情報である場合には（ステップＳ５０６：Ｙｅｓ）、光沢領域のオブジェクト群として分類リスト記憶部２００Ｅに格納する（ステップＳ５０８）。
【０１７０】
そして、ステップＳ５０８の処理が終了、または上記ステップＳ５０６で否定判断した場合（ステップＳ５０６：Ｎｏ）、ステップＳ５１０へ進む。
【０１７１】
次に、分類部２００Ｄは、ステップＳ５０４で取得した色空間情報が、透明画像を示す情報であるか否かを判断する（ステップＳ５１０）。そして、ステップＳ５０４で取得した色空間情報が透明画像を示す情報である場合には（ステップＳ５１０：Ｙｅｓ）、透明画像のオブジェクト群として分類リスト記憶部２００Ｅに格納する（ステップＳ５１２）。
【０１７２】
一方、分類部２００Ｄは、ステップＳ５０４で取得した色空間情報が、透明画像を示す情報ではない場合、すなわち、該色空間情報が有色画像を示す情報である場合、（ステップＳ５１０：Ｎｏ）、有色画像のオブジェクト群として分類リスト記憶部２００Ｅに格納する（ステップＳ５１４）。
【０１７３】
次に、ステップＳ４１２の第１補正画像生成処理について説明する。
【０１７４】
図２４は、第１補正画像生成処理の手順を示すフローチャートである。
【０１７５】
まず、第１補正画像生成部２０２は、作成する第１補正画像データの各画素データを格納する領域を確保する（ステップＳ６００）。具体的には、第１補正画像生成部２０２は、該第１補正画像データの各画素データを格納するための領域として、一次メモリ部２０２ＡをＲＡＭに確保する。
【０１７６】
次いで、第１補正画像生成部２０２は、ステップＳ６０２〜ステップＳ６１４の処理を、分類画像データ記憶部２００Ｇに格納されている第２有色版画像データに含まれる画素数分繰り返す。
【０１７７】
第１補正画像生成部２０２は、該第２有色版画像データにおける１の画素位置の画素αを補正対象として選択し、該画素αと同じ画素位置の、第２光沢制御版画像データの画素の濃度値Ｋを抽出する（ステップＳ６０２）。詳細には、第１補正画像生成部２０２は、分類画像データ記憶部２００Ｇに格納されている第２光沢制御版画像データの各画素の内、該画素αと同じ画素位置の画素の濃度値Ｋを、該第２光沢制御版画像データから抽出する。
【０１７８】
次いで、第１補正画像生成部２０２は、ステップＳ６０２で抽出した濃度値Ｋが、０より大きいか否かを判断する（ステップＳ６０４）。すなわち、第１補正画像生成部２０２は、ステップＳ６０４において、濃度値Ｋ＞０、すなわち濃度値が０ではないか否かを判断する。濃度値Ｋが０より大きい値である場合、該濃度値Ｋの画素データを有する画素位置の画素には、光沢効果が指定されている。
【０１７９】
濃度値Ｋが０である場合、第１補正画像生成部２０２は否定判断し（ステップＳ６０４：Ｎｏ）、後述するステップＳ６１４の後の処理へと進む。一方、ステップＳ６０４で肯定判断し、濃度値Ｋが０より大きいと判断すると（ステップＳ６０４：Ｙｅｓ）、第１補正画像生成部２０２は、第２有色版画像データにおける上記画素αの画素データによって示される色情報を、ＲＧＢ色空間からＨＳＶ色空間に変換する（ステップＳ６０６）。
【０１８０】
ここで、ＨＳＶ色空間とは、色を、色相（Ｈｕｅ）、彩度（Ｓａｔｕｒａｔｉｏｎ）、明度（Ｖａｌｕｅ）の３つのパラメータで表現したものである、色相は色の種類（赤、緑、青など）を示し、彩度は色の鮮やかさを示し、明度は色の明るさを示す。
【０１８１】
色相は、公知のように、色相環によって表現される。色相環は、赤色、緑色、青色、赤色と色合いの移り変わりを示したものである。色相の単位は、色相環の赤色を０度とした回転角で示され、緑色は１２０度、青色は２４０度になる。
【０１８２】
彩度は、公知のように、色相環の中心点からの距離で示され、その値は、０〜１．０で示される。なお、彩度が１．０である場合には、純色になる。また、彩度が０であると、鮮やかさが完全に失われ灰色になる。
【０１８３】
明度は、公知のように、色の明るさを示す明度軸によって示される。明度軸は、ＲＧＢ色空間における（Ｒ＝０，Ｇ＝０，Ｂ＝０）と、（Ｒ＝２５５，Ｇ＝２５５，Ｂ＝２５５）と、を結ぶ直線である。明度軸上の各値に対して色相環の中心があり、その中心からどれだけ離れた位置にあるかが彩度で示される。また、色相環の円周上の位置（角度）で色の種類が示される。
【０１８４】
なお、ＨＳＶ色空間は、一般的な公知の色表現方法であるため、さらなる詳細については割愛する。
【０１８５】
第１補正画像生成部２０２は、第２有色版画像データにおける上記画素αの画素データによって示される色情報を、公知の計算式を用いて、ＲＧＢ色空間からＨＳＶ色空間に変換する。
【０１８６】
特に彩度について記述する。
【０１８７】
画素αのＲＧＢ値をそれぞれｒ，ｇ，ｂとする。そして、これらの値の最大値であるｒｇｂＭａｘ、及びこれらの値の最小値であるｒｇｂＭｉｎを下記式（Ａ）及び式（Ｂ）で定義する。
【０１８８】
ｒｇｂＭａｘ＝ｍａｘ（ｒ，ｇ，ｂ）      ・・・式（Ａ）
ｒｇｂＭｉｎ＝ｍｉｎ（ｒ，ｇ，ｂ）      ・・・式（Ｂ）
【０１８９】
この場合、画素αの彩度ｓは、下記式（Ｃ）によって求められる。
【０１９０】
ｓ＝（ｒｇｂＭａｘ−ｒｇｂＭｉｎ）／ｒｇｂＭａｘ      ・・・式（Ｃ）
【０１９１】
上述したように、彩度ｓのとりうる値は、０〜１．０の範囲である。
【０１９２】
このため、上記補正情報を格納した光沢制御管理テーブル（図１８参照）、透明画像管理テーブル（図１５（Ｂ）参照）、光沢強調管理テーブル（図２０参照）の各々は、この０〜１．０の範囲で彩度調整値である自動彩度調整値及び手動彩度調整値を定めている。
【０１９３】
なお、本実施の形態では、光沢効果の種類を４種類とした場合を説明しているため、光沢制御管理テーブル、透明画像管理テーブル、光沢強調管理テーブルに示される光沢効果の種類も４種類としている。しかし、更に細分化されてもよい。
【０１９４】
また、本実施の形態では、光沢制御管理テーブル、透明画像管理テーブル、光沢強調管理テーブルに示される自動彩度調整値は、図１８、図１５（Ｂ）、及び図２０に示すように、＋０．３、＋０．１５、±０、−０．１５、−０．３としている。これは、基準の彩度を０．５とした時に、超高光沢で０．８、つや消しで０．２となるように設定したためであり、これらの値に限られない。
【０１９５】
特に、光沢効果の種類が「つや消し」である場合には、第２有色版画像データによって示される色は、光沢効果を付与しても完全に失われることはない。このため、つや消しに対応する自動彩度調整値は、基準の彩度０．５に対して彩度ゼロ（グレー）とならないように定めた値である。
【０１９６】
図２４に戻り、次に、第１補正画像生成部２０２は、上記ステップＳ６０２で抽出した濃度値Ｋに対応した彩度調整値Ｓを取得する（ステップＳ６０８）。詳細には、まず、第１補正画像生成部２０２は、光沢制御管理テーブル（図１８参照）を読取り、該光沢制御管理テーブルに格納されている濃度値Ｋに相当する光沢制御版濃度値に対応する調整方法を読み取る。そして、調整方法が「手動」である場合には、該光沢制御版濃度値に対応する手動彩度調整値を、彩度調整値Ｓとして取得する。一方、濃度値Ｋに相当する光沢制御版濃度値に対応する調整方法が「自動」である場合には、該光沢制御版濃度値に対応する自動彩度調整値を、彩度調整値Ｓとして取得する。
【０１９７】
例えば、濃度値Ｋが２１０である場合には、第１補正画像生成部２０２は、図１８に示す光沢制御管理テーブルから、該濃度値としての２１０に対応する調整方法は「手動」であることから、手動彩度調整値である＋０．２２５を、彩度調整値Ｓとして読み取る。
【０１９８】
次いで、第１補正画像生成部２０２は、上記ステップＳ６０６でＨＳＶ色空間に変換することによって得られた画素αの彩度に、上記ステップＳ６０８で取得した彩度調整値Ｓを加算した値を、該画素αの補正後の彩度として算出する（ステップＳ６１０）。
【０１９９】
次に、第１補正画像生成部２０２は、上記ステップＳ６０６でＨＳＶ色空間に変換した画素αの色情報における彩度を、ステップＳ６１０で算出した画素αの補正後の彩度に変更し、変更後のＨＳＶ色空間で示される色情報を、ＲＧＢ色空間に変換する（ステップＳ６１２）。なお、ＨＳＶ色空間からＲＧＢ色空間への変換式は、公知の式を用いればよい。
【０２００】
次に、第１補正画像生成部２０２は、上記ステップＳ６１２で変換した後の色情報を含む画素データβを、第２有色版画像データの画素αの位置の画素データとして、一次メモリ部２０２Ａに格納する（ステップＳ６１４）。
【０２０１】
そして、第１補正画像生成部２０２は、上記ステップＳ６０２〜ステップＳ６１４の処理を、分類画像データ記憶部２００Ｇに格納されている第２有色版画像データに含まれる画素数分繰り返した後に、本ルーチンを終了する。
【０２０２】
第１補正画像生成部２０２が、第２有色版画像データの全画素について上記ステップＳ６００〜ステップＳ６１４の第１補正画像生成処理を実行することによって、第１補正画像データが生成される。
【０２０３】
すなわち、第１補正画像生成部２０２は、第２有色版画像データにおける、第２光沢制御版画像データによって示される光沢領域に相当する画素の彩度を、該光沢領域の光沢効果の種類に応じて補正した、第１補正画像データを生成する。
【０２０４】
なお、第１補正画像生成部２０２は、第２クリア版画像データについても、上記ステップＳ６００〜ステップＳ６１４と同様の処理を行う。すなわち、第１補正画像生成部２０２は、第２光沢制御版画像データに代えて第２クリア版画像データを用い、光沢制御管理テーブルに代えて透明画像管理テーブルを用いる以外は、ステップＳ６００〜ステップＳ６１４と同様の処理を行えばよい。
【０２０５】
これによって、第１補正画像生成部２０２は、第２有色版画像データにおける、第２光沢制御版画像データによって示される光沢領域に相当する画素の彩度を、該光沢領域の光沢効果の種類に応じて補正し、且つ第２クリア版画像データによって示される透明画像に相当する画素の彩度を、該透明画像の濃度値に応じて補正した、第１補正画像データを生成する。
【０２０６】
次に、図２２におけるステップＳ４１４の第２補正画像生成処理について説明する。
【０２０７】
図２５は、第２補正画像生成処理の手順を示すフローチャートである。
【０２０８】
まず、第２補正画像生成部２０４は、作成する第２補正画像データの各画素データを格納する領域を確保する（ステップＳ７００）。具体的には、第２補正画像生成部２０４は、該第２補正画像データの各画素データを格納するための領域として、一次メモリ部２０４ＡをＲＡＭに確保する。
【０２０９】
次いで、第２補正画像生成部２０４は、ステップＳ７０２〜ステップＳ７１４の処理を、上記生成された第１補正画像データに含まれる画素数分繰り返す。
【０２１０】
第２補正画像生成部２０４は、該第１補正画像データにおける１の画素位置の画素βを補正対象として選択し、該画素βと同じ画素位置の、第２光沢制御版画像データの画素の濃度値Ｋを、上記ステップＳ６０２と同様にして抽出する（ステップＳ７０２）。
【０２１１】
次いで、第２補正画像生成部２０４は、ステップＳ７０２で抽出した濃度値Ｋに対応する光沢効果の種類が、光沢強調対象として指定されているか否かを判断する（ステップＳ７０４）。
【０２１２】
第２補正画像生成部２０４は、ステップＳ７０４の判断を、以下のようにして行う。詳細には、まず、第２補正画像生成部２０４は、補正情報記憶部２００Ｉに格納されている光沢強調管理テーブル（図２０参照）を読取る。そしてステップＳ７０２で抽出した濃度値Ｋに対応する対象設定として「対象」が設定されているか「対象外」が設定されているかを判別することによって行う。そして、「対象」が設定されている場合には、第２補正画像生成部２０４は、肯定判断し（ステップＳ７０４：Ｙｅｓ）、ステップＳ７１４の処理の後へと進む。一方、「対象外」が設定されている場合には、第２補正画像生成部２０４は、否定判断し（ステップＳ７０４：Ｎｏ）、ステップＳ７０６へ進む。
【０２１３】
次いで、第２補正画像生成部２０４は、第２有色版画像データにおける上記画素βの画素データによって示される色情報を、上記ステップＳ６０６と同様にして、ＲＧＢ色空間からＨＳＶ色空間に変換する（ステップＳ７０６）。
【０２１４】
次に、第２補正画像生成部２０４は、上記ステップＳ７０２で抽出した濃度値Ｋに対応した彩度調整値Ｔを取得する（ステップＳ７０８）。詳細には、まず、第２補正画像生成部２０４は、光沢強調管理テーブル（図２０参照）を読取り、該光沢強調管理テーブルに格納されている濃度値Ｋに相当する光沢制御版濃度値に対応する調整方法を読み取る。そして、調整方法が「手動」である場合には、該光沢制御版濃度値に対応する手動彩度調整値を、彩度調整値Ｔとして取得する。一方、該濃度値Ｋに相当する光沢制御版濃度値に対応する調整方法が「自動」である場合には、該光沢制御版濃度値に対応する自動彩度調整値を、彩度調整値Ｔとして取得する。
【０２１５】
例えば、該濃度値Ｋが２１０である場合には、第２補正画像生成部２０４は、図２０に示す光沢強調管理テーブルから、該濃度値Ｋとしての２１０に対応する調整方法は「手動」である。このため、この場合、第２補正画像生成部２０４は、該濃度値Ｋとしての２１０に対応する手動彩度調整値である＋０．３を、彩度調整値Ｔとして読み取る。一方、該濃度値Ｋが２００である場合には、第２補正画像生成部２０４は、図２０に示す光沢強調管理テーブルから、該濃度値Ｋとしての２００に対応する調整方法は「自動」である。このため、この場合、第２補正画像生成部２０４は、該濃度値Ｋとしての２００に対応する自動彩度調整値である０．１５を、彩度調整値Ｔとして読み取る。
【０２１６】
次いで、第２補正画像生成部２０４は、上記ステップＳ７０６でＨＳＶ色空間に変換することによって得られた画素βの彩度から、上記ステップＳ７０８で取得した彩度調整値Ｔを減算した値を、該画素βの補正後の彩度として算出する（ステップＳ７１０）。
【０２１７】
次に、第２補正画像生成部２０４は、上記ステップＳ７０６でＨＳＶ色空間に変換した画素βの色情報における彩度を、ステップＳ７１０で算出した画素βの補正後の彩度に変更し、変更後のＨＳＶ色空間で示される色情報を、ＲＧＢ色空間に変換する（ステップＳ７１２）。なお、ＨＳＶ色空間からＲＧＢ色空間への変換式は、公知の式を用いればよい。
【０２１８】
次に、第２補正画像生成部２０４は、上記ステップＳ７１２で変換した後の色情報を含む画素データγを、第１補正画像データの画素βの位置の画素データとして、一次メモリ部２０４Ａに格納する（ステップＳ７１４）。
【０２１９】
そして、第２補正画像生成部２０４は、上記ステップＳ７０２〜ステップＳ７１４の処理を、ステップＳ４１２（図２２参照）における第１補正画像生成処理によって生成された第１補正画像データに含まれる画素数分繰り返した後に、本ルーチンを終了する。
【０２２０】
第２補正画像生成部２０４が、第１補正画像データの全画素について上記ステップＳ７００〜ステップＳ７１４の第２補正画像生成処理を実行することによって、第２補正画像データが生成される。
【０２２１】
すなわち、第２補正画像生成部２０４は、光沢効果の種類によって補正された後の第２有色版画像データである第１補正画像データにおける、光沢強調対象外の領域に対応する画素データの彩度を、光沢強調管理テーブルに応じて補正した、第２補正画像データを生成する。
【０２２２】
以上説明したように、本実施の形態の表示処理部１５によれば、第２有色版画像データにおける、第２光沢制御版画像データによって光沢領域として特定される画素位置の画素の彩度を、該光沢領域の光沢効果の種類に応じて補正する。このため、本実施の形態の表示処理部１５によれば、有色画像を遮蔽することなく、透明現像剤を用いて形成する光沢領域を反映させたプレビュー表示することができる。
【０２２３】
また、本実施の形態の表示処理部１５によれば、第２有色版画像データにおける、第２クリア版画像データによって透明画像として特定される画素位置の画素の彩度を、透明画像の濃度値に応じて補正する。このため、本実施の形態の表示処理部１５によれば、有色画像を遮蔽することなく、透明現像剤を用いて形成する透明画像を反映させたプレビュー表示することができる。
【０２２４】
さらに、本実施の形態の表示処理部１５では、該光沢領域の光沢効果の種類や透明画像の濃度値に応じた彩度の補正に用いる彩度調整値を、自動で設定することもできるし、ユーザによる手動で設定することもできる。
【０２２５】
そして、自動で設定するときに用いる彩度調整値としての自動彩度調整値としては、光沢度が高いほど（すなわち、第２光沢制御版画像データの各画素の濃度値または第２クリア版画像データの各画素の濃度値が大きいほど）、調整後の彩度が高くなるように、自動彩度調整値を定めている。反対に、光沢度が低いほど（すなわち、第２光沢制御版画像データの各画素の濃度値または第２クリア版画像データの各画素の濃度値が小さいほど）、調整後の彩度が低くなるように、自動彩度調整値を定めている。
【０２２６】
このため、光沢効果の種類や透明画像の濃度値に応じた彩度の補正を行うことができる。
【０２２７】
また、彩度調整値をユーザによる指示によって手動で設定することができるので、ユーザの所望の彩度となるように、第２有色版画像データにおける、第２光沢制御版画像データによって光沢領域として特定される画素位置の画素の彩度や、第２クリア版画像データによって透明画像として示される画素位置の画素の彩度を、任意の彩度に調整することができる。
【０２２８】
さらに、本実施の形態の表示処理部１５では、光沢強調対象の光沢効果の種類に対応する光沢領域以外の領域の画素の濃度値（光沢効果の種類）に対応する、第１補正画像データの各画素の彩度を調整する。
【０２２９】
このため、光沢強調対象の光沢効果の種類に対応する光沢領域と、該光沢領域以外の領域との彩度差を大きくすることができ、光沢強調対象として指定された光沢領域を強調してプレビュー表示することができる。
【０２３０】
＜ＤＥＦ３０、ＭＩＣ４０、印刷装置６０について＞
図１に戻り、次に、ＤＥＦ３０、ＭＩＣ４０、印刷装置６０について説明する。
【０２３１】
ＤＦＥ３０は、ホスト装置１１から印刷データを受信し、当該印刷データに基づいて、ＣＭＹＫの各トナーおよび無色（透明色）のクリアトナーに応じたトナー像を形成するための画像データを生成する。そして、その生成した画像データを、ＭＩＣ４０を介してプリンタ機５０および後処理機７５の各々へ送信する。
【０２３２】
プリンタ機５０には、ＣＭＹＫの各トナーとクリアトナーとが少なくとも搭載されており、各トナーに対して感光体、帯電器、現像器及び感光体クリーナーを含む作像ユニット、及び露光器等が搭載されている。プリンタ機５０は、ＭＩＣ４０を介してＤＦＥ３０から送信された画像データに応じて、露光器から光ビームを照射して各トナーに応じたトナー像を感光体上に形成してこれを記録紙などの記録媒体に転写する。転写されたトナー像は、不図示の定着機において、所定の範囲内の温度（通常温度）での加熱および加圧が加えられて記録媒体上に定着する。これにより、記録媒体上に画像が形成される（詳細後述）。
【０２３３】
図１の例では、後処理機７５は、プリンタ機５０に接続されるグロッサ７０と、グロッサ７０に接続される通常定着後処理装置８０と、通常定着後処理装置８０に接続される低温定着後処理装置９０とを含んで構成される。グロッサ７０は、ＤＦＥ３０によりオン又はオフが制御され、オンにされた場合に、プリンタ機５０により記録媒体に形成された画像を再定着し、その後、冷却して本体から画像の形成された記録媒体を剥離する。これにより、記録媒体に形成された画像全体において所定量以上のトナーが付着した各画素のトナーの総付着量は均一に圧縮される。
【０２３４】
通常定着後処理装置８０には、クリアトナー用の感光体、帯電器、現像器および感光体クリーナーを含む作像ユニット、露光器、及び当該クリアトナーを定着させるための定着機が搭載されており、ＤＦＥ３０が生成した後述のクリアトナー版の画像データが入力される。通常定着後処理装置８０は、入力されたクリアトナー版の画像データを用いて、クリアトナーによるトナー像を、グロッサ７０により加圧された記録媒体上に形成された画像に重ねて形成する。そして、記録媒体上に形成されたトナー像は、定着機において通常温度での加熱および加圧が加えられて記録媒体上に定着する。
【０２３５】
低温定着後処理装置９０には、クリアトナー用の感光体、帯電器、現像器および感光体クリーナーを含む作像ユニット、露光器、及び当該クリアトナーを定着させるための定着機が搭載されており、ＤＦＥ３０が生成した後述のクリアトナー版の画像データが入力される。低温定着後処理装置９０は、入力されたクリアトナー版の画像データを用いてクリアトナーによるトナー像を、グロッサ７０および通常定着後処理装置８０により加圧された記録媒体上に形成された画像に重ねて形成する。そして、記録媒体上に形成されたトナー像は、定着機において通常温度よりも低い温度（低温）での加熱および加圧が加えられて記録媒体上に定着する。
【０２３６】
次に、ＤＦＥ３０の機能的構成について説明する。図２６は、ＤＦＥ３０の概略構成例を示すブロック図である。図２６に示すように、ＤＦＥ３０は、Ｉ／Ｆ部３１と、Ｉ／Ｆ部３２と、制御部３５とを含んで構成される。Ｉ／Ｆ部３１はホスト装置１１との間で通信を行うためのインタフェース装置である。Ｉ／Ｆ部３２は、ＭＩＣ４０との間で通信を行うためのインタフェース装置である。
【０２３７】
制御部３５は、ＤＦＥ３０全体を制御する手段であり、ＣＰＵ、ＲＯＭおよびＲＡＭなどを含んで構成されるコンピュータである。図２６に示すように、制御部３５が有する機能には、レンダリングエンジン１０１、ｓｉ１部１０２、ＴＲＣ（Ｔｏｎｅ  Ｒｅｐｒｏｄｕｃｔｉｏｎ  Ｃｕｒｖｅ）１０３、ｓｉ２部１０４、ハーフトーンエンジン１０５、クリアプロセッシング１０８、ｓｉ３部１０９、表面効果選択テーブル（不図示）、などが含まれる。レンダリングエンジン１０１と、ｓｉ１部１０２と、ＴＲＣ（Ｔｏｎｅ  Ｒｅｐｒｏｄｕｃｔｉｏｎ  Ｃｕｒｖｅ）１０３と、ｓｉ２部１０４と、ハーフトーンエンジン１０５と、クリアプロセッシング１０８と、ｓｉ３部１０９とは、ＤＦＥ３０の制御部３５が主記憶部や補助記憶部に記憶されている各種プログラムを実行することにより実現されるものである。ｓｉ１部１０２、ｓｉ２部１０４及びｓｉ３部１０９はいずれも、画像データを分離する（ｓｅｐａｒａｔｅ）機能と、画像データを統合する（ｉｎｔｅｇｒａｔｅ）機能とを有するものである。表面効果選択テーブルは例えば補助記憶部に記憶されるものである。
【０２３８】
レンダリングエンジン１０１には、ホスト装置１１から印刷データが入力される。レンダリングエンジン１０１は、入力された印刷データを言語解釈して、ベクター形式で表現される第１有色版画像データ、第１クリア版画像データ、及び第１光沢制御版画像データの各々を、ラスタ形式で表現される画像データに変換すると共に、ＲＧＢ形式等で表現された色空間をＣＭＹＫ等の色空間に変換して、ＣＭＹＫの第４有色版画像データ、第４光沢制御版画像データ、及び第４クリア版画像データを出力する。なお、これらの第４有色版画像データ、第４光沢制御版画像データ、及び第４クリア版画像データは、１画素を例えば８ビット等で表現した画像データである。また、第４クリア版画像データ及び第４光沢制御版画像データは、画素毎に例えば８ビットで「０」〜「２５５」（０％〜９８％）の範囲の濃度値で表される。すなわち、レンダリングエンジン１０１は、ホスト装置１１から出力された印刷データに含まれる、ベクター形式で表現される第１有色版画像データ、第１クリア版画像データ、及び第１光沢制御版画像データの各々をラスタ形式に変換し、この結果、ＤＦＥ３０は、ユーザが指定した描画領域に対する表面効果の種類を、画素を単位とした濃度値として設定する。
【０２３９】
ｓｉ１部１０２は、第４有色版画像データをＴＲＣ１０３に出力する。また、ｓｉ１部１０２は、第４光沢制御版画像データ、及び第４クリア版画像データを、クリアプロセッシング１０８へ出力する。
【０２４０】
ＴＲＣ１０３には、ｓｉ１部１０２を介して第４有色版画像データが入力される。ＴＲＣ１０３は、入力された第４有色版画像データに対してキャリブレーションにより生成された１Ｄ＿ＬＵＴのガンマカーブでガンマ補正を行う。画像処理としては、ガンマ補正の他にトナーの総量規制等があるが、この実施の形態の例では省略している。ｓｉ２部１０４は、ＴＲＣ１０３でガンマ補正された第４有色版画像データを、インバースマスクを生成するためのデータとしてクリアプロセッシング１０８へ出力する。ハーフトーンエンジン１０５には、ｓｉ２部１０４を介してガンマ補正後の第４有色版画像データが入力される。ハーフトーンエンジン１０５は、入力された第４有色版画像データを印刷装置６０に出力するための、例えばＣＭＹＫの各２ビット等の画像データのデータ形式に変換するハーフトーン処理を行い、ハーフトーン処理後のＣＭＹＫ各２ビット等の画像データとしての、第５有色版画像データをｓｉ３部１０９へ出力する。なお、２ビットは一例であり、これに限定されるものではない。
【０２４１】
クリアプロセッシング１０８は表面情報及び装置構成に対応する、表面効果選択テーブルを参照し、グロッサ７０のオン又はオフを決定すると共に、第４光沢制御版画像データ及び第４クリア版画像データを用いて、クリアトナーを付着させるための例えば、２ビット等の、後述するクリアトナー版の画像データを生成する。なお、２ビットは一例であり、これに限定されるものではない。
【０２４２】
詳細には、表面効果選択テーブルは、「０％」〜「９８％」の範囲で表現される光沢制御版画像データの濃度値と、「０」〜「２５５」の２５６段階で表現される光沢制御版画像データの濃度値と、表面効果の種類と、グロッサ７０のオンおよびオフの何れかを指定するオンオフ情報と、クリアトナー版の画像データの濃度値の決定方法と、実現可能な表面効果の種類とを対応付けて記憶する。この表面効果選択テーブルは、装置構成情報及びグロッサ７０のオンまたはオフを示す情報に対応づけて定められている。
【０２４３】
図２７は、表面効果選択テーブルの例を示す図である。表面効果選択テーブルの内容は、装置構成情報および優先情報に応じて決定される。装置構成情報は、印刷装置６０に搭載されている後処理機７５の構成を示す情報である。優先情報は「光沢優先」および「種類優先」の何れかを示す情報である。「光沢優先」とは、ユーザ指定の表面効果を、より光沢度の高い表面効果に置き換えることを示す。また、「種類優先」とは、ユーザ指定の表面効果を、最も光沢度の高い超高光沢を含まない表面効果に置き換えることを示す。
【０２４４】
クリアプロセッシング１０８は、装置構成情報および優先情報に対応する表面効果選択テーブルを、図示を省略する記憶部から読み出す。例えば、クリアプロセッシング１０８は、図２７に示す表面効果選択テーブルを読み取る。この優先情報とは、光沢優先または種類優先を示す情報であり、ユーザの操作指示等によって指定される。装置構成情報は、印刷装置６０に設けられた後処理機７５の種類を示す情報である。
【０２４５】
そして、クリアプロセッシング１０８は、優先情報が光沢優先を示す場合には、グロッサ７０のオンを決定する。また、クリアプロセッシング１０８は、優先情報が種類優先を示す場合には、グロッサ７０のオフを決定する。
【０２４６】
そして、クリアプロセッシング１０８は、各画素位置の画素について、８ビットの画素データを例えば２ビットの画素データに変換する。詳細には、クリアプロセッシング１０８は、変換処理対象の画素について透明画像と、表面効果の与えられる光沢領域と、の双方が重なる場合には、予め別途設定された優先設定に応じていずれか一方を画素単位で排他する。
【０２４７】
具体的には、透明画像と光沢領域との双方の重なる画素位置については、優先設定が光沢優先（クリア版優先と称する場合もある）を示す場合には、第４クリア版画像データの対応する画素位置の８ビットの画素データを、２ビットの画素データに変換する。また、透明画像と光沢領域との双方の重なる画素位置については、優先設定が種類優先を示す場合には、第４光沢制御版画像データの対応する画素位置の８ビットの画素データを２ビットの画素データに変換する。
【０２４８】
そして、クリアプロセッシング１０８は、優先情報に応じて決定された、グロッサ７０のオンまたはオフと装置構成情報に対応する表面効果選択テーブルを用いて、第４光沢制御版画像データ及び第４クリア版画像データから、２ビットの第１のクリアトナー版の画像データＣｌｒ−１、２ビットの第２のクリアトナー版の画像データＣｌｒ−２、および、２ビットの第３のクリアトナー版の画像データＣｌｒ−３の各々を生成する。
【０２４９】
第１のクリアトナー版の画像データであるＣｌｒ−１は、プリンタ機５０がクリアトナーを用いた印刷時に用いる画像データである。また、第２のクリアトナー版の画像データであるＣｌｒ−２は、通常定着後処理装置８０がクリアトナーを用いた印刷時に用いる画像データである。また、第３のクリアトナー版の画像データであるＣｌｒ−３は、低温定着後処理装置９０がクリアトナーを用いた印刷時に用いる画像データである。
【０２５０】
そして、クリアプロセッシング１０８は、グロッサ７０のオンおよびオフの何れかを指示するオンオフ指示情報と、各２ビットのクリアトナー版の画像データ（Ｃｌｒ−１〜Ｃｌｒ−３）とをｓｉ３部１０９へ出力する。
【０２５１】
図２７の例では、第４光沢制御版画像データに含まれる画素の濃度値が「２０５」〜「２５５」（９４％〜９８％）の場合、当該画素の濃度値に対応する表面効果の種類は超高光沢である。また、オンオフ情報は「オン」である。そして、超高光沢のときに、第１のクリアトナー版の画像データＣｌｒ−１に入力する画像データは、インバースマスク１である。また、表面効果が超高光沢のときに、第２のクリアトナー版の画像データＣｌｒ−２及びＣｌｒ−３に入力する画像データは、ｎｏ  ｄａｔａ（データ無し）である。
【０２５２】
同様に、第４光沢制御版画像データに含まれる画素の濃度値が「１５４」〜「２０４」（８４％〜９０％）の場合、当該画素の濃度値に対応する表面効果の種類は高光沢である。また、オンオフ情報は「オン」である。そして、高光沢のときに、第１のクリアトナー版の画像データＣ１ｒ−１に入力する画像データは、インバースマスクｍである。また、表面効果がＧのときに、第２のクリアトナー版の画像データＣｌｒ−２に入力する画像データはベタであり、Ｃｌｒ−３に入力する画像データは、ｎｏ  ｄａｔａ（画像データ無し）である。
【０２５３】
同様に、第４光沢制御版画像データに含まれる画素の濃度値が「５２」〜「１０２」
（１０％〜１６％）の場合、当該画素の濃度値に対応する表面効果の種類は低光沢である。また、オンオフ情報は「オン」である。そし低光沢のときに、第１のクリアトナー版の画像データＣｌｒ−１及び、Ｃｌｒ−３に入力する画像データは、ｎｏ  ｄａｔａ（画像データ無し）である。
【０２５４】
また、表面効果が低光沢のときに、第２のクリアトナー版の画像データＣｌｒ−２に入力する画像データはｈａｌｆｔｏｎｅ−ｎである。
【０２５５】
同様に、第４光沢制御版画像データに含まれる画素の濃度値が「１」〜「５１」（０％〜６％）の場合、当該画素の濃度値に対応する表面効果の種類はつや消しである。また、オンオフ情報は「オン」である。そして、つや消しのときに、第１のクリアトナー版の画像データＣｌｒ−１及びＣｌｒ−２に入力する画像データは、ｎｏ  ｄａｔａ（画像データ無し）である。
【０２５６】
また、表面効果つや消しのときに、第３のクリアトナー版の画像データＣｌｒ−３に入力する画像データはベタである。
【０２５７】
ここで、上記インバースマスクとは、表面効果を与える対象の領域を構成する各画素上のＣＭＹＫのトナー及びクリアトナーを合わせた総付着量が均一になるようにするためのものである。具体的には、ＣＭＹＫ版の画像データにおいて当該対象の領域を構成する画素の表す濃度値を全て加算し、その加算値を所定値から差し引いた画像データがインバースマスクとなる。具体的には、例えば、以下の式１で表される。
【０２５８】
Ｃｌｒ＝１００−（Ｃ＋Ｍ＋Ｙ＋Ｋ）・・・(式１)
但し、Ｃｌｒ＜０となる場合、Ｃｌｒ＝０
【０２５９】
式１において、Ｃｌｒ，Ｃ，Ｍ，Ｙ，Ｋは、クリアトナー及びＣ，Ｍ，Ｙ，Ｋの各トナーのそれぞれについて、各画素における濃度値から換算される濃度率を表すものである。即ち、式１によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ、Ｋの各トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式１以外により求められるものがあり、インバースマスクの種類は複数有り得る。後述するＩＮＶ−１、ＩＮＶ−ｍがこれに相当する。
【０２６０】
ベタマスクとは、表面効果を与える対象の領域を構成する各画素上にクリアトナーを均一に付着させるためのものである。具体的には、例えば以下の式２で表される。
【０２６１】
Ｃｌｒ＝１００・・・(式２)
【０２６２】
なお、表面効果を与える対象の画素の中でも、１００％以外の濃度率が対応付けられるものがあるようにしても良く、ベタマスクのパターンは複数有り得る。
【０２６３】
また、例えばインバースマスクは、各色の地肌露出率の乗算により求められるものであってもよい。この場合のインバースマスクは、例えば以下の式３で表される。
Ｃｌｒ＝１００×｛（１００−Ｃ）／１００｝×｛（１００−Ｍ）／１００｝×｛（１００−Ｙ）／１００｝×｛（１００−Ｋ）／１００｝・・・(式３)
上記式３において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【０２６４】
また、例えばインバースマスクは、最大面積率の網点が平滑性を律すると仮定した方法により求められるものであってもよい。この場合のインバースマスクは、例えば以下の式４で表される。
Ｃｌｒ＝１００−ｍａｘ（Ｃ，Ｍ，Ｙ，Ｋ）・・・(式４)
上記式４において、ｍａｘ（Ｃ，Ｍ，Ｙ，Ｋ）は、ＣＭＹＫのうち最大の濃度値を示す色の濃度値が代表値となることを示す。
【０２６５】
要するに、インバースマスクは、上記式１〜式４の何れかの式により表されるものであればよい。
【０２６６】
図２７の例では、第４光沢制御版画像データに含まれる画素の濃度値が「１５４」〜「２０４」（８４％〜９０％）の場合、当該画素の濃度値に対応する表面効果の種類は高光沢、オンオフ情報は「オン」、第１のクリアトナー版の画像データＣｌｒ−１における当該画素の濃度値は「インバースマスクｍ」により求められて８ビットで表現され、第２のクリアトナー版の画像データＣｌｒ−２における当該画素の濃度値は「ベタ」により求められて２ビットで表現され、第３のクリアトナー版の画像データＣｌｒ−３における当該画素の濃度値は無く（「ｎｏ  ｄａｔａ」）、実現可能な表面効果の種類は「高光沢」であることが示されている。なお、当該インバースマスクｍは、上述の式１とは異なる式で表される（式２〜式４のうちの何れかの式で表される）。これは、超高光沢の場合とは、平滑化されるトナーの総付着量が異なるからである。また、ベタとは、表面効果を与える対象の領域を構成する各画素上にクリアトナーを均一に付着させるためのものである。具体的には、例えば上記式２で表される。なお、表面効果を与える対象の画素の中でも、１００％以外の濃度率が対応付けられるものがあるようにしてもよく、ベタのパターンは複数有り得る。
【０２６７】
また、図２７の例では、第４光沢制御版画像データに含まれる画素の濃度値が「５２」〜「１０２」（１０％〜１６％）の場合、当該画素の濃度値に対応する表面効果の種類は低光沢、オンオフ情報は「オン」、第１のクリアトナー版の画像データＣｌｒ−１における当該画素の濃度値は「ｎｏ  ｄａｔａ」、第２のクリアトナー版の画像データＣｌｒ−２における当該画素の濃度値は「ｈａｌｆｔｏｎｅ−ｎ」により求められて２ビットで表現され、第３のクリアトナー版の画像データＣｌｒ−３における当該画素の濃度値は「ｎｏ  ｄａｔａ」、実現可能な表面効果の種類は「低光沢」であることが示されている。なお、ｈａｌｆｔｏｎｅ（ハーフトーン）とは、クリアトナーに中間調処理を施し、表面に凹凸を付与し乱反射させることで光沢度を低くするためのものである。中間調処理には複数あり、その中の一つを示す表現としてｈａｌｆｔｏｎｅ−ｎと記載している。なお、本実施形態では、表面効果の種類として低光沢が指定された場合、光沢制御版画像データにおいて低光沢が指定された領域内の各画素の濃度値は、「５２」〜「１０２」の範囲内の何れかの値に共通に設定される。
【０２６８】
また、図２７の例では、第４光沢制御版画像データに含まれる画素の濃度値が「１」〜「５１」（０％〜６％）の場合、当該画素の濃度値に対応する表面効果の種類はつや消し、オンオフ情報は「オン」、第１のクリアトナー版の画像データＣｌｒ−１および第２のクリアトナー版の画像データＣｌｒ−２の各々における当該画素の濃度値は「ｎｏ  ｄａｔａ」、第３のクリアトナー版の画像データＣｌｒ−３における当該画素の濃度値は「ベタ」により求められて２ビットで表現され、実現可能な表面効果の種類は「つや消し」であることが示されている。
【０２６９】
本実施形態では、クリアプロセッシング１０８は、光沢優先か種類優先かに応じて、図２７の表面効果選択テーブルを参照して、グロッサ７０のオン又はオフを決定する。また、クリアプロセッシング１０８は、決定されたグロッサ７０のオンまたはオフと、グロッサ７０のオンオフ及び装置構成に対応する、表面効果選択テーブルを用いて、入力された第４光沢制御版画像データを用いて、８ビットの第１のクリアトナー版の画像データＣｌｒ−１、２ビットの第２のクリアトナー版の画像データＣｌｒ−２、および、２ビットの第３のクリアトナー版の画像データＣｌｒ−３の各々を生成する。そして、クリアプロセッシング１０８は、８ビットの第１のクリアトナー版の画像データＣｌｒ−１に対してハーフトーン処理を行い、２ビットの第１のクリアトナー版の画像データＣｌｒ−１に変換する。そして、クリアプロセッシング１０８は、グロッサ７０のオンおよびオフの何れかを指示するオンオフ指示情報と、各２ビットのクリアトナー版の画像データ（Ｃｌｒ−１〜Ｃｌｒ−３）とをｓｉ３部１０９へ出力する。
【０２７０】
ｓｉ３部１０９は、ハーフトーン処理後のＣＭＹＫの各２ビットの画像データである第５有色版画像データ（２ｂｉｔ×４ｐｌａｎｅ）と、クリアプロセッシング１０８が生成した各２ビットのクリアトナー版の画像データ（Ｃｌｒ−１〜Ｃｌｒ−３）（２ｂｉｔ×３ｐｌａｎｅ）とを統合し、統合した画像データをＭＩＣ４０に出力するとともに、クリアプロセッシング１０８から供給されたオンオフ指示情報をＭＩＣ４０に出力する。本実施形態において、例えば１ページ内において超高光沢、高光沢、低光沢、及び、つや消しの各々が指定されていた場合、ＤＦＥ３０からは各々２ビットの７つの画像データ（ＣＭＹＫ＋Ｃｌｒ−１＋Ｃｌｒ−２＋Ｃｌｒ−３）と、グロッサ７０の「オン」を指示するオンオフ指示情報とがＭＩＣ４０へ出力される。
【０２７１】
ＭＩＣ４０は、ＤＦＥ３０とプリンタ機５０とに接続され、ＣＭＹＫの第５有色版画像データ（２ｂｉｔ×４ｐｌａｎｅ）および第１〜第３のクリアトナー版の画像データをＤＦＥ３０から受信して各画像データを対応する装置に振り分けるとともに、後処理装置の制御を行う。
【０２７２】
この場合、図２８に例示されるように、ＤＦＥ３０は、ＭＩＣ４０を介して、ＣＭＹＫの第５有色版画像データ（２ｂｉｔ×４ｐｌａｎｅ）および第１のクリアトナー版の画像データＣｌｒ−１をプリンタ機５０に出力する。また、ＤＦＥ３０は、ＭＩＣ４０を介して、「オン」を指示するオンオフ指示情報をグロッサ７０へ出力する。これを受けて、グロッサ７０はオン状態に遷移する。さらに、ＤＦＥ３０は、ＭＩＣ４０を介して、第２のクリアトナー版の画像データＣｌｒ−２を通常定着後処理装置８０へ出力し、第３のクリアトナー版の画像データＣｌｒ−３を低温定着後処理装置９０へ出力する。
【０２７３】
図２８の例では、プリンタ機５０は、ＭＩＣ４０から出力されたＣＭＹＫの第５有色版画像データ（２ｂｉｔ×４ｐｌａｎｅ）及び第１のクリアトナー版の画像データＣｌｒ−１を用いて、露光器から光ビームを照射して各トナーに応じたトナー像を感光体上に形成してこれを記録媒体に転写した後に定着させる。
【０２７４】
詳細には、プリンタ機５０は、電子写真方式の複数の感光体５０Ａ、感光体５０Ａ上に形成されたトナー像を転写される転写ベルト５０Ｂ、転写ベルト５０Ｂ上のトナー像を記録媒体に転写する転写装置５０Ｃ、及び記録媒体上のトナー像を該記録媒体に定着させる定着機５０Ｄを備える。
【０２７５】
これによって記録媒体に、ＣＭＹＫのトナーの他クリアトナーが付着されて、画像が形成される。その後、搬送路に沿って記録媒体が搬送されて、オン状態になっているグロッサ７０の位置に到ると、当該グロッサ７０は、当該記録媒体（のプリンタ機５０による画像形成領域を含む領域）を高温及び高圧で加圧する。
【０２７６】
通常定着後処理装置８０は、ＭＩＣ４０から出力された第２のクリアトナー版の画像データＣｌｒ−２を用いてクリアトナーによるトナー像を形成し、グロッサ７０を通過した記録媒体上に当該トナー像を重ねて、通常温度での加熱および加圧を与えて記録媒体に定着させる。そして、低温定着後処理装置９０は、ＭＩＣ４０から出力された第３のクリアトナー版の画像データＣｌｒ−３を用いてクリアトナーによるトナー像を形成し、通常定着後処理装置８０を通過した記録媒体上に当該トナー像を重ねて、低温での加熱および加圧を与えて記録媒体に定着させる。
【０２７７】
通常定着後処理装置８０及び低温定着後処理装置９０は、詳細には、電子写真方式の感光体８０Ａ及び感光体９０Ａから転写されたトナー像を記録媒体に定着させる定着機８０Ｂ及び定着機９０Ｂの各々を備える。記録媒体は、図示を省略する搬送部材によって搬送されることで、プリンタ機５０、グロッサ７０、通常定着後処理装置８０、及び低温定着後処理装置９０の設けられている位置を、この順に搬送される。そして、これらの機器によって順次処理が行われて画像形成及び表面効果が付与された後に、図示を省略する搬送機構によって搬送されて、印刷装置６０の外部へと排出される。
【０２７８】
以上により、クリアトナーを用いた透明画像が記録媒体に形成される。また、ユーザによって超高光沢が指定された領域においては、超高光沢としての効果が実現され、ユーザによって高光沢が指定された領域においては、高光沢としての効果が実現される。また、ユーザによって低光沢が指定された領域においては、低光沢としての効果が実現され、ユーザによってつや消しが指定された領域においては、つや消しとしての効果が実現される。なお、表面効果を与える領域として指定されていない領域には、いずれの表面効果も与えられない。
【０２７９】
以上、本発明の各実施形態について説明したが、本発明は上述の各実施形態に限定されるものではなく、本発明の要旨を逸脱しない範囲内で種々の変形が可能である。
【０２８０】
例えば、上記に説明した各実施形態では、表示処理部１５は、ホスト装置１１に設けられている場合を説明したが、表示処理部１５を、ＤＦＥ３０に設けた構成であってもよい。
【０２８１】
また、本実施形態では、透明画像の印刷や表面効果の付与のために、クリアトナーを用いる場合を説明したが、透明現像剤を含む色材であればよく、トナーに限られない。例えば、クリアトナーに代えて、透明な現像液を用いてもよい。
【０２８２】
また、プリンタ機５０では、ＣＭＹＫの複数の色のトナーを用いて画像を形成するようにしたが、１色のトナーを用いて画像を形成するようにしてもよい。
【０２８３】
（実施形態２）
実施形態１では、ホスト装置１１でプレビュー画像（表示画像）を生成する場合を説明したが、これに限定されるものではない。
【０２８４】
すなわち、一の装置で行っていた複数の処理のいずれかを、一の装置とネットワークを介して接続する１以上の他の装置で行う構成にしてもよい。
【０２８５】
その一例として、本実施形態に係る画像形成システムでは、ホスト装置の機能の一部を、ネットワーク上のサーバ装置上に実装している。
【０２８６】
図２９は、本実施形態に係る画像形成システムの構成を例示する図である。図２９に示すように、本実施形態の画像形成システム１００Ｄは、ホスト装置１１０と、ＤＦＥ３０と、ＭＩＣ４０と、印刷装置６０と、を備えている。
【０２８７】
本実施形態では、ホスト装置１１０が、インターネット等のネットワークを介して、サーバ装置３０６０と接続された構成となっている。また、本実施形態では、実施形態１のホスト装置１１における解析部２００Ｌ、分類画像データ生成部２００Ｆ、表示画像生成部２００Ｈの機能を、サーバ装置３０６０に設けた構成となっている。
【０２８８】
ここで、ホスト装置１１０、ＤＦＥ３０、ＭＩＣ４０、及び印刷装置６０の構成は、第１の実施形態と同様である。
【０２８９】
すなわち、具体的には、本実施形態では、ホスト装置１１０がインターネット等のネットワーク（クラウド）を介して、単一のサーバ装置３０６０に接続し、サーバ装置３０６０は、実施形態１の解析部２００Ｌ、分類画像データ生成部２００Ｆ、表示画像生成部２００Ｈの機能を設けて、サーバ装置３０６０で、表示画像の生成処理を行うように構成している。
【０２９０】
まず、サーバ装置３０６０について説明する。図３０は、本実施形態にかかるサーバ装置３０６０の機能的構成を示すブロック図である。サーバ装置３０６０は、記憶部３０７０と、解析部３０６１と、分類画像データ生成部３０６２と、表示画像生成部３０６３と、通信部３０６５と、を主に備えている。
【０２９１】
通信部３０６５は、ホスト装置１１０との間で各種データや要求の送受信を行う。より具体的には、通信部３０６５は、ホスト装置１１０から、原稿データと、光沢制御管理テーブル及び透明画像管理テーブルの各々に格納されている補正情報と、を含む第１データを受信する。また、通信部３０６５は、表示画像生成部３０６３で生成された表示画像を、ホスト装置１１０へ送信する。
【０２９２】
解析部３０６１、分類画像データ生成部３０６２、及び表示画像生成部３０６３の機能は、各々、実施形態１で説明した、解析部２００Ｌ、分類画像データ生成部２００Ｆ、及び表示画像生成部２００Ｈの機能と同様である。
【０２９３】
記憶部３０７０は、ＨＤＤやメモリ等の記憶媒体であり、オブジェクト構造リスト、分類画像データ生成部３０６２で生成された、第２有色版画像データ、第２光沢制御版画像データ、及び第２クリア版画像データを記憶する。また、記憶部３０７０は、解析部３０６１で分類された、オブジェクト分類リストを記憶する。また、記憶部３０７０は、通信部３０６５が受信した第１データを記憶する。
【０２９４】
次に、ホスト装置１１０について説明する。
【０２９５】
図３１は、ホスト装置１１０を示す機能ブロック図である。ホスト装置１１０は、表示部９９Ｄと、入力部９９Ａと、操作部９９Ｂと、制御部１００Ｃと、を備える。制御部１００Ｃは、原稿データ生成部１０、印刷データ生成部２０、及び表示処理部１５Ｃを備える。
【０２９６】
原稿データ生成部１０、及び印刷データ生成部２０は、実施形態１と同様である。
【０２９７】
表示処理部１５Ｃは、原稿データ受付部２００Ａ、通信部２００Ｋ、受付部２００Ｍ、補正情報生成部２００Ｋ、補正情報記憶部２００Ｉ、及び表示制御部２００Ｊを備える。原稿データ受付部２００Ａ、受付部２００Ｍ、補正情報生成部２００Ｋ、補正情報記憶部２００Ｉ、及び表示制御部２００Ｊは、実施形態１と同様である。
【０２９８】
通信部２００Ｋは、ホスト装置１１０へ第１データを送信する。また、通信部２００Ｋは、ホスト装置１１０から表示画像を受信する。
【０２９９】
次に、本実施形態のホスト装置１１０の表示処理部１５Ｃで実行する画像表示処理について説明する。
【０３００】
図３２は、ホスト装置１１０の表示処理部１５Ｃで実行する画像表示処理の手順を示すフローチャートである。
【０３０１】
まず、原稿データ受付部２００Ａが、原稿データを受け付ける（ステップＳ２０００）。原稿データ受付部２００Ａで受け付けられた原稿データは、一次メモリ２０１Ｂに展開される。
【０３０２】
次に、通信部２００Ｋが、上記ステップＳ２０００で受け付けた原稿データと、光沢制御管理テーブル及び透明画像管理テーブルの各々に格納されている補正情報と、を含む第１データを、サーバ装置３０６０へ送信する（ステップＳ２０１０）。
【０３０３】
次に、通信部２００Ｋが、サーバ装置３０６０から表示画像を受信するまで否定判断を繰り返す（ステップＳ２０２０：Ｎｏ）。ステップＳ２０２０で肯定判断すると（ステップＳ２０２０：Ｙｅｓ）、ステップＳ２０４０へ進む。
【０３０４】
ステップＳ２０４０では、表示制御部２００Ｊが、ステップＳ２０２０で受信した表示画像を表示部９９Ｄへ表示する制御を行う（ステップＳ２０４０）。そして、本ルーチンを終了する。
【０３０５】
次に、サーバ装置３０６０で実行する画像処理の手順を説明する。図３３は、サーバ装置３０６０で実行する画像処理の手順を示すフローチャートである。
【０３０６】
まず、サーバ装置３０６０の通信部３０６５が、ホスト装置１１０から第１データを受信したか否かを判断する（ステップＳ４０００）。ステップＳ４０００で否定判断すると（ステップＳ４０００：Ｎｏ）、本ルーチンを終了する。
【０３０７】
一方、ステップＳ４０００で肯定判断すると（ステップＳ４０００：Ｙｅｓ）、ステップＳ４０２０へ進む。
【０３０８】
次いで、解析部３０６１が、ステップＳ４０００で受信した第１データに含まれる原稿データのデータ構造を解析し、原稿データの各ページに含まれるオブジェクトを示すオブジェクト構造リストを作成する（ステップＳ４０２０）。そして、解析部３０６１は、オブジェクト構造リストを記憶部３０７０に格納する（ステップＳ４０４０）。
【０３０９】
次いで、分類画像データ生成部３０６２が原稿データの分類処理を実行する（ステップＳ４０６０）。この分類処理は、上記ステップＳ４０６と同様である。
【０３１０】
そして、分類画像データ生成部３０６２が、表示用のイメージデータとして、第２有色版画像データ、第２光沢制御版画像データ、及び第２クリア版画像データを生成し、記憶部３０７０に格納する（ステップＳ４０８０、ステップＳ４１００）。
【０３１１】
次に、表示画像生成部３０６３が第１補正画像生成処理を実行する（ステップＳ４１２０）。なお、このステップＳ４１２０の第１補正画像生成処理は、上記ステップＳ４１２の処理と同様である。
【０３１２】
次に、表示画像生成部３０６３が第２補正画像生成処理を実行する（ステップＳ４１４０）。なお、このステップＳ４１４０の第２補正画像生成処理は、上記ステップＳ４１４の処理と同様である。
【０３１３】
次に、通信部３０６５が、表示画像生成部３０６３で生成された表示画像データ（第１補正画像データ、または第２補正画像データ）の表示画像を、ホスト装置１１０へ送信する（ステップＳ４１６０）。そして、本ルーチンを終了する。
【０３１４】
以上説明したように、本実施形態では、表示画像の生成を、クラウド上のサーバ装置３０６０で行っているので、実施形態１の効果の他、複数のホスト装置１１０が存在する場合でも、合成画像の生成を一括して行うことができ、管理者の便宜となる。
【０３１５】
なお、本実施形態では、クラウド上の単一のサーバ装置３０６０に、解析部３０６１、分類画像データ生成部３０６２、及び表示画像生成部３０６３を設けた構成としたが、これに限定されるものではない。
【０３１６】
例えば、クラウド上に２以上のサーバ装置を設け、上記各処理を、２以上のサーバ装置で分散させて実行するように構成してもよい。なお、各処理の各サーバ装置への分散の形態はこれに限定されるものではなく、任意に行うことができる。
【０３１７】
すなわち、ホスト装置１１０に入力部９９Ａ、出力部９９Ｃ、表示制御部２００Ｊ、及び通信部２００Ｋ等の最低限の構成を設ければ、各処理の一部または全部をクラウド上の一つのサーバ装置に集中して設けたり、複数のサーバ装置に分散させて設けたりすることは任意に行うことができる。
【０３１８】
言い換えると、上述の例のように、一の装置で行っていた複数の処理のいずれかを、一の装置とネットワークを介して接続する１以上の他の装置で行う構成にすることができる。
【０３１９】
また、上記の「一の装置とネットワークを介して接続する１以上の他の装置で行う構成」の場合、一の装置で行われた処理で発生したデータ（情報）を一の装置から他の装置に出力する処理、そのデータを他の装置が入力する処理等、一の装置と他の装置間、さらには、他の装置間同士で行われるデータの入出力処理を含むような構成となる。
【０３２０】
つまり、他の装置が１つの場合では、一の装置と他の装置間で行われるデータの入出力処理を含むような構成となり、他の装置が２以上の場合では、一の装置と他の装置間、及び、第一の他の装置・第二の他の装置間のように他の装置間同士でデータの入出力処理を含むような構成となる。
【０３２１】
また、本実施形態では、サーバ装置３０６０などの１または複数のサーバ装置を、クラウド上に設けているが、これに限定されるものではない。例えば、サーバ装置３０６０などの１または複数のサーバ装置を、イントラネット上に設ける等、あらゆるネットワーク上に設けた構成としてもよい。
【０３２２】
次に、上述した実施形態のホスト装置１１、１１０、ＤＦＥ３０、及びサーバ装置３０６０のハードウェア構成について説明する。
【０３２３】
図３４は、本実施形態のホスト装置１１、１１０、ＤＦＥ３０、及びサーバ装置３０６０のハードウェア構成例を示すブロック図である。本実施形態のホスト装置１１、１１０、ＤＦＥ３０、及びサーバ装置３０６０は、ＣＰＵなどの制御装置１０１０と、ＲＯＭ（Ｒｅａｄ  Ｏｎｌｙ  Ｍｅｍｏｒｙ）やＲＡＭなどの主記憶装置１０２０と、ＨＤＤ、ＣＤドライブ装置などの補助記憶装置１０３０と、ディスプレイ装置などの表示装置１０４０と、キーボードやマウスなどの入力装置１０５０と、を備えており、通常のコンピュータを利用したハードウェア構成となっている。
【０３２４】
本実施形態のホスト装置１１、１１０、ＤＦＥ３０、及びサーバ装置３０６０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０３２５】
また、本実施形態のホスト装置１１、１１０、ＤＦＥ３０、及びサーバ装置３０６０で実行されるプログラムを、インターネット等のネットワークに接続されたコンピュータ上に格納し、ネットワーク経由でダウンロードさせることにより提供するように構成してもよい。また、本実施形態のホスト装置１１、１１０、ＤＦＥ３０、及びサーバ装置３０６０で実行されるプログラムをインターネット等のネットワーク経由で提供または配布するように構成してもよい。また、本実施形態のホスト装置１１、１１０、ＤＦＥ３０、及びサーバ装置３０６０で実行される制御プログラムを、ＲＯＭ等に予め組み込んで提供するように構成してもよい。
【０３２６】
本実施形態のホスト装置１１、１１０、ＤＦＥ３０、及びサーバ装置３０６０で実行されるプログラムは、上述した各部を含むモジュール構成となっており、実際のハードウェアとしてはＣＰＵ（プロセッサ）が上記記憶媒体から制御プログラムを読み出して実行することにより上記各部が主記憶装置上にロードされ、上記各部が主記憶装置上に生成されるようになっている。なお、上述の実施形態では、ホスト装置１１、１１０、ＤＦＥ３０、及びサーバ装置３０６０が本実施の形態に係る処理を実行しているが、これに限らず、本実施の形態に係る処理を実行する装置の種類は任意であり、例えばＰＣで処理を実行することもできる。
【０３２７】
なお、上述した実施形態において、画像形成システム１００は、ホスト装置１１、ＤＦＥ３０、ＭＩＣ４０、印刷装置６０を備えるように構成したが、これに限らない。例えば、ホスト装置１１、ＤＦＥ３０、ＭＩＣ４０、印刷装置６０を一体的に形成して１つの画像形成装置として構成するようにしてもよい。
【０３２８】
また、ＭＩＣ４０とプリンタ機５０とを一体的に構成してもよい。
【０３２９】
なお、上述した実施の形態のプリンタシステムは、ＭＩＣ４０を備えた構成としているが、これに限定されるものではない。上述したＭＩＣ４０が行う処理、機能をＤＦＥ３０等の他の装置にもたせて、ＭＩＣ４０を設けない構成としてもよい。
【符号の説明】
【０３３０】
１００  画像形成システム
１０  原稿データ生成部
１１、１１０  ホスト装置
１５  表示処理部
２０  印刷データ生成部
３０  ＤＦＥ
９９Ｂ  操作部
９９Ｄ  表示部
２００Ａ  原稿データ受付部
２００Ｂ  構造解析部
２００Ｃ  オブジェクト構造リスト記憶部
２００Ｄ  分類部
２００Ｅ  分類リスト記憶部
２００Ｆ、３０６２  分類画像データ生成部
２００Ｇ  分類画像データ記憶部
２００Ｈ、３０６３  表示画像生成部
２００Ｋ  補正情報生成部
２００Ｉ  補正情報記憶部
２００Ｊ  表示制御部
２００Ｌ、３０６１  解析部
２０２  第１補正画像生成部
２０４  第２補正画像生成部
【先行技術文献】
【特許文献】
【０３３１】
【特許文献１】特開２００８−１４５７８４号公報
【図１】
0006051682.tif 000002
【図２】
0006051682.tif 000003
【図３】
0006051682.tif 000004
【図４】
0006051682.tif 000005
【図５】
0006051682.tif 000006
【図６】
0006051682.tif 000007
【図７】
0006051682.tif 000008
【図８】
0006051682.tif 000009
【図１０】
0006051682.tif 000010
【図１１】
0006051682.tif 000011
【図１２Ａ】
0006051682.tif 000012
【図１２Ｂ】
0006051682.tif 000013
【図１３】
0006051682.tif 000014
【図１４】
0006051682.tif 000015
【図１５】
0006051682.tif 000016
【図１６】
0006051682.tif 000017
【図１７】
0006051682.tif 000018
【図１８】
0006051682.tif 000019
【図１９】
0006051682.tif 000020
【図２０】
0006051682.tif 000021
【図２１】
0006051682.tif 000022
【図２２】
0006051682.tif 000023
【図２３】
0006051682.tif 000024
【図２４】
0006051682.tif 000025
【図２５】
0006051682.tif 000026
【図２６】
0006051682.tif 000027
【図２７】
0006051682.tif 000028
【図２８】
0006051682.tif 000029
【図２９】
0006051682.tif 000030
【図３０】
0006051682.tif 000031
【図３１】
0006051682.tif 000032
【図３２】
0006051682.tif 000033
【図３３】
0006051682.tif 000034
【図３４】
0006051682.tif 000035
【図９】
0006051682.tif 000036